(57)【特許請求の範囲】
【請求項１】
クライアントデバイスを操作する方法であって、
前記クライアントデバイス上で実行するアプリケーションストアクライアントアプリケーションによって、アプリケーションストアサーバによるアプリケーションストアとの通信リンクを確立することと、なお、前記アプリケーションストアサーバは、前記クライアントデバイスへのダウンロードに利用可能であるモバイルウィジェットのカタログを維持するように構成される；
前記アプリケーションストアクライアントアプリケーションによって、前記アプリケーションストアへのアクセスを得るために前記通信リンク上で前記アプリケーションストアサーバと対話することと；
前記アプリケーションストアクライアントアプリケーションによって、モバイルウィジェットの前記カタログから前記クライアントデバイスへの１つまたは複数のモバイルウィジェットのダウンロードをトリガすることと；
を備え、
ここで、前記カタログ内の前記モバイルウィジェットは、前記クライアントデバイス上で実行可能な１つまたは複数のウィジェットとのユーザ対話に関係するウィジェット使用データを使用して優先順位が付けられ、前記ウィジェット使用データは、前記クライアントデバイスのランタイムメモリを管理するために使用される、方法。
【請求項２】
前記対話することは、
前記クライアントデバイスに関連する事業者またはキャリアにより、前記クライアントデバイスがモバイルウィジェットの前記カタログにアクセスすることが許可されることを検証するように前記アプリケーションストアサーバを促すために、前記アプリケーションストアサーバに情報を提供すること、
を含む、請求項１に記載の方法。
【請求項３】
前記情報は、前記クライアントデバイスのユーザまたは前記アプリケーションストアクライアントアプリケーションに関連する識別子または証明を含む、請求項２に記載の方法。
【請求項４】
前記アプリケーションストアサーバは、前記事業者またはキャリアの許可サーバまたはコンテンツ管理サーバに前記識別子または証明を送信することによって、前記クライアントデバイスを検証するように促される、請求項３に記載の方法。
【請求項５】
前記トリガすることは、前記クライアントデバイスから前記アプリケーションストアサーバに、前記１つまたは複数のモバイルウィジェットに関する要求を送信することを含む、請求項１に記載の方法。
【請求項６】
クライアントデバイスへのダウンロードに利用可能であるモバイルウィジェットのカタログを記憶するように構成されたアプリケーションストアサーバを操作する方法であって、
前記クライアントデバイス上で実行するアプリケーションストアクライアントアプリケーションとの通信リンクを確立することと、
前記アプリケーションストアへの前記アプリケーションストアクライアントアプリケーションによるアクセスを許すために、前記通信リンク上で前記アプリケーションストアクライアントアプリケーションと対話することと、
前記アプリケーションストアクライアントアプリケーションの動作に応答して、モバイルウィジェットの前記カタログからの１つまたは複数のモバイルウィジェットが前記クライアントデバイスにダウンロードされることを可能にすることと、
を備え、
ここで、前記カタログ内の前記モバイルウィジェットは、前記クライアントデバイス上で実行可能な１つまたは複数のウィジェットとのユーザ対話に関係するウィジェット使用データを使用して優先順位が付けられ、前記ウィジェット使用データは、前記クライアントデバイスのランタイムメモリを管理するために使用される、方法。
【請求項７】
前記対話することは、
前記アプリケーションストアサーバへの情報を受信することと、
前記クライアントデバイスに関連する事業主またはキャリアにより、前記情報に基づいて、モバイルウィジェットの前記カタログにアクセスすることを前記クライアントデバイスが許可されることを検証することと、
を含む、請求項６に記載の方法。
【請求項８】
前記情報は、前記クライアントデバイスのユーザまたは前記アプリケーションストアクライアントアプリケーションに関連する識別子または証明を含む、請求項７に記載の方法。
【請求項９】
前記検証することは、
前記事業主またはキャリアの許可サーバまたはコンテンツ管理サーバに前記識別子または証明を送信すること
を含む、請求項８に記載の方法。
【請求項１０】
前記許可することは、前記クライアントデバイスから前記アプリケーションストアサーバへと前記１つまたは複数のモバイルウィジェットに関する要求を受信することに応答して行なわれる、請求項１に記載の方法。
【請求項１１】
クライアントデバイスであって、
前記クライアントデバイス上で実行するアプリケーションストアクライアントアプリケーションによって、アプリケーションストアサーバによるアプリケーションストアとの通信リンクを確立するための手段と、なお、前記アプリケーションストアサーバは、前記クライアントデバイスへのダウンロードに利用可能であるモバイルウィジェットのカタログを維持するように構成される；
前記アプリケーションストアクライアントアプリケーションによって、前記アプリケーションストアへのアクセスを得るために前記通信リンク上で前記アプリケーションストアサーバと対話するための手段と；
前記アプリケーションストアクライアントアプリケーションによって、モバイルウィジェットの前記カタログから前記クライアントデバイスへの１つまたは複数のモバイルウィジェットのダウンロードをトリガするための手段と；
を備え、
ここで、前記カタログ内の前記モバイルウィジェットは、前記クライアントデバイス上で実行可能な１つまたは複数のウィジェットとのユーザ対話に関係するウィジェット使用データを使用して優先順位が付けられ、前記ウィジェット使用データは、前記クライアントデバイスのランタイムメモリを管理するために使用される、クライアントデバイス。
【請求項１２】
クライアントデバイスへのダウンロードに利用可能であるモバイルウィジェットのカタログを記憶するように構成されたアプリケーションストアサーバであって、
前記クライアントデバイス上で実行するアプリケーションストアクライアントアプリケーションとの通信リンクを確立するための手段と、
前記アプリケーションストアへの前記アプリケーションストアクライアントアプリケーションによるアクセスを許すために、前記通信リンク上で前記アプリケーションストアクライアントアプリケーションと対話するための手段と、
前記アプリケーションストアクライアントアプリケーションの動作に応答して、モバイルウィジェットの前記カタログからの１つまたは複数のモバイルウィジェットが前記クライアントデバイスにダウンロードされることを可能にするための手段と、
を備え、
ここで、前記カタログ内の前記モバイルウィジェットは、前記クライアントデバイス上で実行可能な１つまたは複数のウィジェットとのユーザ対話に関係するウィジェット使用データを使用して優先順位が付けられ、前記ウィジェット使用データは、前記クライアントデバイスのランタイムメモリを管理するために使用される、アプリケーションストアサーバ。
【請求項１３】
クライアントデバイスであって、
前記クライアントデバイス上で実行するアプリケーションストアクライアントアプリケーションによって、アプリケーションストアサーバによるアプリケーションストアとの通信リンクを確立するように構成された論理と、なお、前記アプリケーションストアサーバは、前記クライアントデバイスへのダウンロードに利用可能であるモバイルウィジェットのカタログを維持するように構成される；
前記アプリケーションストアクライアントアプリケーションによって、前記アプリケーションストアへのアクセスを得るために前記通信リンク上で前記アプリケーションストアサーバと対話するように構成された論理と；
前記アプリケーションストアクライアントアプリケーションによって、モバイルウィジェットの前記カタログから前記クライアントデバイスへの１つまたは複数のモバイルウィジェットのダウンロードをトリガするように構成された論理と；
を備え、
ここで、前記カタログ内の前記モバイルウィジェットは、前記クライアントデバイス上で実行可能な１つまたは複数のウィジェットとのユーザ対話に関係するウィジェット使用データを使用して優先順位が付けられ、前記ウィジェット使用データは、前記クライアントデバイスのランタイムメモリを管理するために使用される、クライアントデバイス。
【請求項１４】
クライアントデバイスへのダウンロードに利用可能であるモバイルウィジェットのカタログを記憶するように構成されたアプリケーションストアサーバであって、
前記クライアントデバイス上で実行するアプリケーションストアクライアントアプリケーションとの通信リンクを確立するように構成された論理と、
前記アプリケーションストアへの前記アプリケーションストアクライアントアプリケーションによるアクセスを許すために、前記通信リンク上で前記アプリケーションストアクライアントアプリケーションと対話するように構成された論理と、
前記アプリケーションストアクライアントアプリケーションの動作に応答して、モバイルウィジェットの前記カタログからの１つまたは複数のモバイルウィジェットが前記クライアントデバイスにダウンロードされることを可能にするように構成された論理と、
を備え、
ここで、前記カタログ内の前記モバイルウィジェットは、前記クライアントデバイス上で実行可能な１つまたは複数のウィジェットとのユーザ対話に関係するウィジェット使用データを使用して優先順位が付けられ、前記ウィジェット使用データは、前記クライアントデバイスのランタイムメモリを管理するために使用される、アプリケーションストアサーバ。
【請求項１５】
クライアントデバイスによって実行されるときに前記クライアントデバイスに動作を実行させる命令が記憶されたコンピュータ可読記憶媒体であって、前記命令は、
前記クライアントデバイス上で実行するアプリケーションストアクライアントアプリケーションによって、アプリケーションストアサーバによるアプリケーションストアとの通信リンクを確立するための少なくとも１つの命令と、なお、前記アプリケーションストアサーバは、前記クライアントデバイスへのダウンロードに利用可能であるモバイルウィジェットのカタログを維持するように構成される；
前記アプリケーションストアクライアントアプリケーションによって、前記アプリケーションストアへのアクセスを得るために前記通信リンク上で前記アプリケーションストアサーバと対話するための少なくとも１つの命令と；
前記アプリケーションストアクライアントアプリケーションによって、モバイルウィジェットの前記カタログから前記クライアントデバイスへの１つまたは複数のモバイルウィジェットのダウンロードをトリガするための少なくとも１つの命令と；
を備え、
ここで、前記カタログ内の前記モバイルウィジェットは、前記クライアントデバイス上で実行可能な１つまたは複数のウィジェットとのユーザ対話に関係するウィジェット使用データを使用して優先順位が付けられ、前記ウィジェット使用データは、前記クライアントデバイスのランタイムメモリを管理するために使用される、
コンピュータ可読記憶媒体。
【請求項１６】
クライアントデバイスへのダウンロードに利用可能であるモバイルウィジェットのカタログを記憶するように構成されたアプリケーションストアサーバによって実行されるときに前記アプリケーションストアサーバに動作を実行させる命令が記憶されたコンピュータ可読記憶媒体であって、前記命令は、
前記クライアントデバイス上で実行するアプリケーションストアクライアントアプリケーションとの通信リンクを確立するための少なくとも１つの命令と、
前記アプリケーションストアへの前記アプリケーションストアクライアントアプリケーションによるアクセスを許すために、前記通信リンク上で前記アプリケーションストアクライアントアプリケーションと対話するための少なくとも１つの命令と、
前記アプリケーションストアクライアントアプリケーションの動作に応答して、モバイルウィジェットの前記カタログからの１つまたは複数のモバイルウィジェットが前記クライアントデバイスにダウンロードされることを可能にするための少なくとも１つの命令と、
を備え、
ここで、前記カタログ内の前記モバイルウィジェットは、前記クライアントデバイス上で実行可能な１つまたは複数のウィジェットとのユーザ対話に関係するウィジェット使用データを使用して優先順位が付けられ、前記ウィジェット使用データは、前記クライアントデバイスのランタイムメモリを管理するために使用される、
コンピュータ可読記憶媒体。
【発明の詳細な説明】
【技術分野】
【０００１】
米国特許法第１１９条に基づく優先権の主張
本特許出願は、参照により本明細書に明白に組み込まれる、２００８年３月２５日に出願された「APPARATUS AND METHODS OF MANAGING WIDGETS IN A WIRELESS COMMUNICATION ENVIRONMENT」と題する仮出願第６１／０３９，４０２号の優先権を主張する。
【０００２】
同時係属特許出願の参照
本特許出願は、参照により本明細書に明白に組み込まれる、本明細書と同時に出願された代理人整理番号第０８１０６８Ｕ１号を有する「APPARATUS AND METHODS FOR TRANSPORT OPTIMIZATION FOR WIDGET CONTENT DELIVERY」と、
参照により本明細書に明白に組み込まれる、本明細書と同時に出願された代理人整理番号第０８１０６８Ｕ２号を有する「APPARATUS AND METHODS FOR WIDGET UPDATE SCHEDULING」と、
参照により本明細書に明白に組み込まれる、本明細書と同時に出願された代理人整理番号第０８１０６８Ｕ４号を有する「APPARATUS AND METHODS FOR MANAGING WIDGETS IN A WIRELESS COMMUNICATION ENVIRONMENT」と、
参照により本明細書に明白に組み込まれる、本明細書と同時に出願された代理人整理番号第０８１０２７号を有する「APPARATUS AND METHODS FOR WIDGET INTERCOMMUNICATION IN A WIRELESS COMMUNICATION ENVIRONMENT」と
の同時係属米国特許出願に関する。
【０００３】
説明する態様は、ウィジェット（widget）に関し、より詳細には、ワイヤレス通信環境におけるウィジェット関連メモリ管理に関係する装置および方法に関する。
【背景技術】
【０００４】
ワイヤレスネットワーキングシステムは、世界中の他者と通信するための一般的な方法になった。携帯またはセルラー電話、携帯情報端末（ＰＤＡ）などのワイヤレス通信デバイスが、そのようなネットワーク上で動作しており、消費者のニーズを満たし、携帯性と利便性とを改善するために、より小さく、より強力になっている。消費者は、これらのデバイスに依存するようになっており、確実なサービス、カバレージエリアの拡大、ウェブブラウズ機能などの追加のサービス、ならびにそのようなデバイスのサイズおよびコストの継続的な低減を求めている。
【０００５】
パーソナルコンピューティング（ＰＣ）環境の機能およびエンドユーザエクスペリエンスを模倣するために、ワイヤレス通信デバイスの機能およびエンドユーザエクスペリエンスの多くが開発され、まずまずの成功を収めている。たとえば、高度な３Ｇサービス（１Ｘ−ＥＶＤＯ  Ｒｅｖ．Ａ、ＵＭＴＳ  ＨＳＰＡ）などの比較的高速および大容量のサービスが展開されてはいるが、モバイルウェブサービスの成功の程度は様々である。その問題の多くは、モバイルウェブブラウズエクスペリエンスが、たいていのユーザになじみのあるＰＣエクスペリエンスとは異なるということにある。具体的には、多くのエンドユーザは、たとえば、検索情報を入力することに関して、モバイルウェブブラウズアプリケーションが使いづらいと感じており、また、たとえば、コンテンツの得られた提示が不快なものであるので、そのアプリケーションを楽しむことが難しいと感じている。
【０００６】
さらに、ワイヤレス通信デバイスは、デスクトップコンピューティングデバイスと比較して、比較的メモリが制限されている。したがって、ワイヤレス通信デバイス上では、メモリ制限が、エンドユーザのモバイルウィジェットを実行する能力に影響を及ぼし、および／または一度にアクティブにすることができるモバイルウィジェットの数を制限することがある。
【０００７】
したがって、ワイヤレス通信デバイス上でモバイルウィジェットと対話する際のエンドユーザのエクスペリエンスを改善するための装置および方法が望まれる。
【発明の概要】
【０００８】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００９】
一態様は、ワイヤレス通信デバイスにおける動作モードを変更するための方法に関する。本方法は、モバイルウィジェットクライアントを標準動作モードで活動化することを含むことができる。本方法はまた、ワイヤレス通信デバイス上のメモリ可用度を決定することを含むことができる。さらに、本方法は、メモリ可用度の決定に基づいて標準動作モードを非活動化することを含むことができる。さらに、本方法は、標準動作モードの非活動化に応答してモバイルウィジェットクライアントの低メモリ動作モードを活動化することを含むことができる。
【００１０】
別の態様は、メモリ可用度に基づいてウィジェットの動作モードを変更するように構成された少なくとも１つのプロセッサに関する。プロセッサは、モバイルウィジェットクライアントを標準動作モードで活動化するための第１のモジュールを含むことができる。さらに、プロセッサは、ワイヤレス通信デバイス上のメモリ可用度を決定するための第２のモジュールを含むことができる。その上、プロセッサは、メモリ可用度の決定に基づいて標準動作モードを非活動化するための第３のモジュールを含むことができる。さらに、プロセッサは、標準動作モードの非活動化に応答してモバイルウィジェットクライアントの低メモリ動作モードを活動化するための第４のモジュールを含むことができる。
【００１１】
さらに別の態様は、コンピュータ可読媒体を含むコンピュータプログラム製品に関する。コンピュータ可読媒体は、モバイルウィジェットクライアントを標準動作モードで活動化することをコンピュータに行わせるための少なくとも１つの命令を含むことができる。さらに、コンピュータ可読媒体は、ワイヤレス通信デバイス上のメモリ可用度を決定することをコンピュータに行わせるための少なくとも１つの命令を含むことができる。コンピュータ可読媒体はまた、メモリ可用度の決定に基づいて標準動作モードを非活動化することをコンピュータに行わせるための少なくとも１つの命令を含むことができる。さらに、コンピュータ可読媒体は、標準動作モードの非活動化に応答してモバイルウィジェットクライアントの低メモリ動作モードを活動化することをコンピュータに行わせるための少なくとも１つの命令を含むことができる。
【００１２】
別の態様は装置に関する。本装置は、モバイルウィジェットクライアントを標準動作モードで活動化するための手段を含むことができる。さらに、本装置は、ワイヤレス通信デバイス上のメモリ可用度を決定するための手段を含むことができる。本装置はまた、メモリ可用度の決定に基づいて標準動作モードを非活動化するための手段を含むことができる。その上、本方法は、標準動作モードの非活動化に応答してモバイルウィジェットクライアントの低メモリ動作モードを活動化するための手段を含むことができる。
【００１３】
さらに別の態様は、メモリ可用度に基づいてウィジェットの動作モードを変更するための装置に関する。本装置はプロセッサを含むことができる。さらに、本装置は、プロセッサと通信しているメモリを含むことができる。さらに、本装置は、プロセッサと通信しており、本装置上のメモリの可用度を決定するように動作可能なメモリ状態モニタを含むことができる。さらに、本装置は、メモリに記憶され、プロセッサによって実行可能であり、標準動作モードと低メモリ動作モードとを含む、少なくとも１つのモバイルウィジェットクライアントを含むことができる。本装置はまた、メモリに記憶され、プロセッサによって実行可能であり、メモリ状態モニタによって行われた決定に基づいて標準動作モードと低メモリモードとの間でウィジェット動作モードを変更するように動作可能なウィジェットモードチェンジャを含むことができる。
【００１４】
別の態様は、動作モード変更に基づいてウィジェットへのコンテンツフィードを変更するための方法に関する。本方法は、ワイヤレスデバイス上で実行される１つまたは複数のウィジェットがデバイス上のメモリ可用度に基づいて動作モードを変更していることを示す通知を、デバイスから受信することを含むことができる。さらに、本方法は、変更の指示をネットワークメモリに記憶することを含むことができる。その上、本方法は、通知に基づいて、１つまたは複数のウィジェットに与えられるコンテンツフィードを変更することを含むことができる。
【００１５】
さらに別の態様は、低メモリベース動作モード変更の通知に基づいてモバイルウィジェットへのコンテンツフィードを変更するように構成された少なくとも１つのプロセッサに関する。プロセッサは、ワイヤレスデバイス上で実行される１つまたは複数のウィジェットがデバイス上のメモリ可用度に基づいて動作モードを変更していることを示す通知を、デバイスから受信するための第１のモジュールを含むことができる。プロセッサはまた、変更の指示をネットワークメモリに記憶するための第２のモジュールを含むことができる。さらに、プロセッサは、通知に基づいて、１つまたは複数のウィジェットに与えられるコンテンツフィードを変更するための第３のモジュールを含むことができる。
【００１６】
別の態様は、コンピュータ可読媒体を含むコンピュータプログラム製品に関する。コンピュータ可読媒体は、ワイヤレスデバイス上で実行される１つまたは複数のウィジェットがデバイス上のメモリ可用度に基づいて動作モードを変更していることを示す通知を、デバイスから受信することをコンピュータに行わせるための少なくとも１つの命令を含むことができる。さらに、コンピュータ可読媒体は、変更の指示をネットワークメモリに記憶することをコンピュータに行わせるための少なくとも１つの命令を含むことができる。その上、コンピュータ可読媒体は、メモリ可用度の決定に基づいて標準動作モードを非活動化することをコンピュータに行わせるための少なくとも１つの命令を含むことができる。さらに、コンピュータ可読媒体は、通知に基づいて、１つまたは複数のウィジェットに与えられるコンテンツフィードを変更することをコンピュータに行わせるための少なくとも１つの命令を含むことができる。
【００１７】
さらに別の態様は装置に関する。本装置は、ワイヤレスデバイス上で実行される１つまたは複数のウィジェットがデバイス上のメモリ可用度に基づいて動作モードを変更していることを示す通知を、デバイスから受信するための手段を含むことができる。さらに、本装置は、変更の指示をネットワークメモリに記憶するための手段を含むことができる。本装置はまた、通知に基づいて、１つまたは複数のウィジェットに与えられるコンテンツフィードを変更するための手段を含むことができる。
【００１８】
別の態様は、メモリ可用度に基づくウィジェットの動作モード変更に基づいてウィジェットへのコンテンツフィードを変更するためのネットワーク装置に関する。ネットワーク装置はプロセッサを含むことができる。さらに、ネットワーク装置は、プロセッサと通信しているメモリを含むことができる。さらに、ネットワーク装置は、メモリに記憶され、プロセッサによって実行可能であり、ワイヤレスデバイス上で実行される１つまたは複数のウィジェットがデバイス上のメモリ可用度に基づいて動作モードを変更していることを示す通知を、デバイスから受信するように動作可能であり、通知に基づいて１つまたは複数のウィジェットに与えられるコンテンツフィードを変更するようにさらに動作可能な、ウィジェット管理モジュールを含むことができる。その上、ネットワーク装置は、動作モード変更の指示を記憶するように動作可能なデータ記憶域をメモリ中に含むことができる。
【００１９】
さらに別の態様は、ワイヤレスデバイスのランタイムメモリを管理するための方法に関する。本方法は、ワイヤレスデバイス上で実行可能な１つまたは複数のウィジェットとのユーザ対話に関係するウィジェット使用データを決定することを含むことができる。本方法はまた、決定されたウィジェット使用データに基づいて１つまたは複数のウィジェット状態を適応的に変更することを含むことができる。さらに、本方法は、１つまたは複数のウィジェット状態の変更を記憶することを含むことができる。
【００２０】
別の態様は、ワイヤレスデバイスのランタイムメモリを管理するように構成された少なくとも１つのプロセッサに関する。プロセッサは、ワイヤレスデバイス上で実行可能な１つまたは複数のウィジェットとのユーザ対話に関係するウィジェット使用データを決定するための第１のモジュールを含むことができる。その上、プロセッサは、決定されたウィジェット使用データに基づいて１つまたは複数のウィジェット状態を適応的に変更するための第２のモジュールを含むことができる。さらに、プロセッサは、１つまたは複数のウィジェット状態の変更を記憶するための第３のモジュールを含むことができる。
【００２１】
さらに別の態様は、コンピュータ可読媒体を含むコンピュータプログラム製品に関する。コンピュータ可読媒体は、ワイヤレスデバイス上で実行可能な１つまたは複数のウィジェットとのユーザ対話に関係するウィジェット使用データを決定することをコンピュータに行わせるための少なくとも１つの命令を含むことができる。さらに、コンピュータ可読媒体は、決定されたウィジェット使用データに基づいて１つまたは複数のウィジェット状態を適応的に変更するための少なくとも１つの命令を含むことができる。コンピュータ可読媒体はまた、１つまたは複数のウィジェット状態の変更を記憶することをコンピュータに行わせるための少なくとも１つの命令を含むことができる。
【００２２】
別の態様は装置に関する。本装置は、ワイヤレスデバイス上で実行可能な１つまたは複数のウィジェットとのユーザ対話に関係するウィジェット使用データを決定するための手段を含むことができる。さらに、本装置は、決定されたウィジェット使用データに基づいて１つまたは複数のウィジェット状態を適応的に変更するための手段を含むことができる。さらに、本装置は、１つまたは複数のウィジェット状態の変更を記憶するための手段を含むことができる。
【００２３】
別の態様は、ワイヤレスデバイスのランタイムメモリを管理するための装置に関する。本装置はプロセッサを含むことができる。本装置はまた、プロセッサと通信しているメモリを含むことができる。本装置はさらに、メモリに記憶され、プロセッサによって実行可能な少なくとも１つのモバイルウィジェットクライアントを含むことができる。その上、本装置は、メモリに記憶され、プロセッサによって実行可能であり、ウィジェットクライアントの１つまたは複数とのユーザ対話に関係する使用データを収集するように動作可能なウィジェット使用データレポータを含むことができる。さらに、本装置は、メモリに記憶され、プロセッサによって実行可能であり、決定されたウィジェット使用データに基づいて１つまたは複数のウィジェット状態を適応的に変更するように動作可能なウィジェットアダプタ論理を含むことができる。さらに、本装置は、１つまたは複数のウィジェット状態の変更を記憶するように動作可能なウィジェット構成設定データベースをメモリ中に含むことができる。
【００２４】
さらに別の態様は、ウィジェット使用データに基づくウィジェット状態の変更を受信し、記録するための方法に関する。本方法は、１つまたは複数のモバイルウィジェットの１つまたは複数の状態がウィジェット使用データに基づいて変更されたことを示す通知を、ワイヤレスデバイスから受信することを含むことができる。さらに、本方法は、状態の変更をネットワークメモリに記憶することを含むことができる。
【００２５】
別の態様は、低メモリベース動作モード変更の通知に基づいてモバイルウィジェットへのコンテンツフィードを変更するように構成された少なくとも１つのプロセッサに関する。プロセッサは、１つまたは複数のモバイルウィジェットの１つまたは複数の状態がウィジェット使用データに基づいて変更されたことを示す通知を、ワイヤレスデバイスから受信するための第１のモジュールを含むことができる。さらに、プロセッサは、状態の変更をネットワークメモリに記憶するための第２のモジュールを含むことができる。
【００２６】
さらに別の態様は、コンピュータ可読媒体を含むコンピュータプログラム製品に関する。コンピュータ可読媒体は、１つまたは複数のモバイルウィジェットの１つまたは複数の状態がウィジェット使用データに基づいて変更されたことを示す通知を、ワイヤレスデバイスから受信することをコンピュータに行わせるための少なくとも１つの命令を含むことができる。コンピュータ可読媒体はまた、状態の変更をネットワークメモリに記憶することをコンピュータに行わせるための少なくとも１つの命令を含むことができる。
【００２７】
別の態様は装置に関する。本装置は、１つまたは複数のモバイルウィジェットの１つまたは複数の状態がウィジェット使用データに基づいて変更されたことを示す通知を、ワイヤレスデバイスから受信するための手段を含むことができる。さらに、本装置は、状態の変更をネットワークメモリに記憶するための手段を含むことができる。
【００２８】
別の態様は、ウィジェット使用データに基づくウィジェット状態の変更を受信し、記録するためのネットワーク装置に関する。ネットワーク装置はプロセッサを含むことができる。ネットワーク装置はまた、プロセッサと通信しているメモリを含むことができる。その上、ネットワーク装置は、メモリに記憶され、プロセッサによって実行可能であり、１つまたは複数のモバイルウィジェットの１つまたは複数の状態がウィジェット使用データに基づいて変更されたことを示す通知を、ワイヤレスデバイスから受信するように動作可能なウィジェット管理モジュールを含むことができる。さらに、ネットワーク装置は、状態の変更を記憶するように動作可能なデータ記憶域をメモリ中に含むことができる。
【００２９】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【００３０】
添付の図面とともに以下に説明する開示する態様は、開示する態様を限定するためではなく、開示する態様を例示するために与えられ、同様の表示は同様の要素を示す。
【図面の簡単な説明】
【００３１】
【図１】エンドツーエンドモバイルウィジェットシステムの一態様の概略図。
【図２】第１の状態におけるいくつかのモバイルウィジェットをもつディスプレイを有するワイヤレスデバイスの一態様の概略図。
【図３】第２の状態におけるモバイルウィジェットのうちの１つをもつ図２のワイヤレスデバイスの一態様の概略図。
【図４】図１のシステムのネットワークデバイスの一態様の概略図。
【図５】図１のユニファイドウィジェットマネージャ（ＵＷＭ）の一態様の概略図。
【図６】図１のシステムのオークションアーキテクチャの一態様の概略図。
【図７】図１のシステムのオークション方法の一態様の流れ図。
【図８】図１のウィジェット管理システム（ＷＭＳ）の一態様の概略図。
【図９】図１のメッセージルータの一態様の概略図。
【図１０】図１のワイヤレスデバイスの一態様の概略図。
【図１１】図１のウィジェット管理クライアント（ＷＭＣ）の一態様の概略図。
【図１２】図１のシステムのウィジェット使用レポータの一態様の概略図。
【図１３】図１１のＷＭＣのウィジェットウィザードの一態様の概略図。
【図１４】図１のシステムのウィジェット広告の一態様の概略図。
【図１５】図１のシステムの広告アーキテクチャの一態様の概略図。
【図１６】図１のウィジェット構成アーキテクチャの一態様の概略図。
【図１７】図１のシステムのコンテンツアクセスサーバの一態様の概略図。
【図１８】図１のシステム中のモバイルウィジェットを選択し、更新する一態様に関係するコールフロー。
【図１９】図１のシステム中のモバイルウィジェットを選択し、更新する一態様に関係するコールフロー。
【図２０】図１のシステム中のモバイルウィジェットに対する事業者／キャリアアクセス制御の一態様に関係するコールフロー。
【図２１】図１のシステム中のモバイルウィジェットを更新する一態様に関係するコールフロー。
【図２２】図１のシステム中のモバイルウィジェットまたはエンドユーザのコンテンツ更新スケジュールを調整する一態様に関係するコールフロー。
【図２３】図１のシステム中のモバイルウィジェットを更新する一態様に関係するコールフロー。
【図２４】図１のシステムにおいて動作可能である、ワイヤレスデバイスメモリに基づいて複数のモバイルウィジェット動作状態を有するワイヤレスデバイスの一態様の概略図。
【図２５】図１のシステムにおいて動作可能である、ワイヤレスデバイスメモリ状態に基づいてモバイルウィジェットを動作させる方法の一態様の流れ図。
【図２６】ウィジェット動作モードへの変更を可能にする例示的なシステムを示す図。
【図２７】ウィジェット動作モードへの変更に基づいてウィジェットに対するコンテンツフィードへの変更を可能にする例示的なシステムを示す図。
【図２８】図１のシステムにおいて動作可能である、異なるモードウィジェットを有するワイヤレスデバイスの一態様の概略図。
【図２９】それぞれのウィジェットを異なるモードで有するウィジェットウォール上のディスプレイウィンドウの様々な例を示す図。
【図３０】図１のシステムにおけるランタイムメモリ管理の方法の一態様の流れ図。
【図３１】図１のシステムにおけるランタイムメモリ管理の方法の一態様の流れ図。
【図３２】ワイヤレスデバイスのランタイムメモリを管理することを可能にする例示的なシステムを示す図。
【図３３】ウィジェット使用データに基づくウィジェット状態の変更を受信し、記録することを可能にする例示的なシステムを示す図。
【発明を実施するための形態】
【００３２】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施できることは明らかであろう。
【００３３】
説明する態様は、ウィジェットに関し、より詳細には、ウィジェットの動作モードを変更することと、動作モード変更および／またはワイヤレスデバイス上のメモリ可用度に基づいてウィジェットへのコンテンツフィードを変更することとに関係する装置および方法に関する。さらに、説明する態様は、ワイヤレスデバイスのランタイムメモリを管理することと、ウィジェット使用データに基づくウィジェット状態の変更を受信し、記録することとに関係する装置および方法に関する。
【００３４】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体の中の別の構成要素と信号を介して対話する１つの構成要素からのデータなど、１つまたは複数のデータパケットを有する信号によるなど、ローカルプロセスおよび／またはリモートプロセスを介して通信することができる。
【００３５】
「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。むしろ、例示的という単語の使用は、概念を具体的な形で提示するものである。
【００３６】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスとすることができる。さらに、本明細書では基地局に関する様々な態様について説明する。基地局は、（１つまたは複数の）ワイヤレス端末と通信するために利用でき、アクセスポイント、ノードＢ、または何らかの他の用語で呼ばれることもある。
【００３７】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００３８】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用できる。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ  などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭ（登録商標）は、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含むことができる。
【００３９】
様々な態様または特徴は、いくつかのデバイス、構成要素、モジュールなどを含むことができるシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せを使用することもできる。
【００４０】
用語
本態様の説明を増強するために、論じられる用語の一部のリストを以下に与える。
【００４１】
モバイルウィジェットまたはウィジェット：デバイスエンドユーザが対話するユーザインターフェース（ＵＩ）要素。いくつかの態様では、モバイルウィジェットは、それぞれのコンテンツソースと特定の関係を有することがある。たとえば、モバイルウィジェットまたはウィジェットは比較的小さい、専用グラフィカルユーザインターフェース（ＧＵＩ）アプリケーションであり、グラフィカルシンボルとプログラムコードとの組合せ、または視覚情報または簡単なアクセスを、限定はしないが、クロック、カレンダー、ニュースアグリゲータ、気象情報などの機能に与えるために実行可能なソフトウェアモジュールを含むことができる。
【００４２】
ウィジェットフレーム：モバイルウィジェットのスタティックユーザインターフェース表示エリア。
【００４３】
ウィジェット管理クライアント（ＷＭＣ）：１つまたは複数のモバイルウィジェットをインスタンス化および管理するクライアントアプリケーション。
【００４４】
ウィジェットウォール：それぞれのワイヤレス通信デバイス上に常駐する、ビューのサイズおよびそれぞれのモバイルウィジェットのサイズに応じてモバイルウィジェットのすべてまたはある部分をデバイスエンドユーザが参照することができる、ＷＭＣにおける最初のビュー。
【００４５】
ウィジェット動作モード：（ｉ）圧縮モード：ウィジェットウォール上に表示するための個々のウィジェットフレーム、および（ｉｉ）拡張モード：モバイルウィジェットが選択されたときに表示するための個々のウィジェットフレーム。この場合、ウィジェットフレームは、圧縮モードにおけるそれぞれのウィジェットフレームよりも大きくサイズ設定できる。
【００４６】
モバイルウィジェットタイプ：（ｉ）更新可能なウィジェット：クライアントにおけるインスタンス化の後に基礎をなすウィジェットパッケージを更新できるウィジェット、（ｉｉ）ロックされたウィジェット：ユーザが修正、削除、または移動することができないウィジェット。ユーザ裁量ではないが更新可能である。（ｉｉｉ）動的ウィジェット：（ロックされたウィジェットとは反対に）エンドユーザが操作することができる、ＵＩ上の圧縮モード外観を有するモバイルウィジェット、（ｉｖ）フローティングウィジェット：エンドユーザが修正することができない、圧縮モード外観を有するモバイルウィジェット、（ｖ）発見ウィジェット：ウィジェット選択およびウィジェットウォール管理を含む、ウィジェット管理機能をエンドユーザに提示するモバイルウィジェット。
【００４７】
ウィジェットセキュリティ：（ｉ）信頼できるウィジェット：承認プロセスを通過したウィジェット、および（ｉｉ）信頼できないウィジェット：ユーザ定義、権利消滅状態、または開発者からなどの、どんな承認も通過していないウィジェット。
【００４８】
スタンドアロン広告ウィジェット：とりわけ、ＷＭＣによって行われた他のウィジェット選択に基づいて、エンドユーザに関係するコンテンツを有することができる、ウィジェットウォール上に表示されたロックされたウィジェットの任意選択の形態。
【００４９】
ウィジェット管理システム（ＷＭＳ）：ウィジェット加入およびダウンロードを管理するためのインフラストラクチャ要素。
【００５０】
ウィジェット管理ポータル（ＷＭＰ）：一態様では、エンドユーザがウィジェットを管理するためのエンドユーザ対面ウェブツール。
【００５１】
コンテンツアクセスサーバ（ＣＡＳ）：モバイルウィジェットアクティビティ、あるいは１つまたは複数のワイヤレス通信デバイスからのモバイルウィジェットとのエンドユーザ対話性に関係する計測情報のルーティングを処理するように動作可能であり、モバイルウィジェットへの提供コンテンツ更新を管理し、１つまたは複数のコンテンツプロバイダからの対応するコンテンツ更新を取り出し／キャッシュするようにさらに動作可能なインフラストラクチャ要素。
【００５２】
ウィジェットウィザード：モバイルウィジェットのためのクライアント管理エンジン。
【００５３】
ユニファイドウィジェットマネージャ（ＵＷＭ）：モバイルウィジェットのためのクリアリングハウスとして動作するインフラストラクチャ要素。
【００５４】
メッセージルータ：ウィジェットシステムインフラストラクチャ要素とＷＭＣとの間のすべての通信をルーティングするネットワーク要素。
【００５５】
スケジュールレコード：ウィジェットコンテンツ更新のための更新スケジュールと、デジタルロッカーコンテンツの周期的検索のためのタイムテーブルとを与えるデータレコード。デジタルロッカーは、エンドユーザのためのモバイルウィジェット情報および構成を含むＷＭＳ構成要素とすることができる。たとえば、ＷＭＳデジタルロッカーからＷＭＣにスケジュールレコードが送信される。
【００５６】
カタログレコード：ＷＭＳデジタルロッカーから、エンドユーザが利用可能なモバイルウィジェット、たとえばカタログアイテムを掲示するウィジェットカタログを提供するＷＭＣおよびＷＭＰに送信されるデータレコード。カタログレコードは、エンドユーザ用にカスタマイズできる。
【００５７】
概観
説明する態様は、ウィジェットに関し、より詳細には、ワイヤレス通信環境におけるユーザ定義モバイルウィジェットおよびウィジェット関連コンテンツの生成、記憶、配信および管理のためのエンドツーエンドシステムに関係する装置および方法に関する。説明する態様は、エンドユーザが、モバイルウィジェットをカスタマイズすることを可能にする装置および方法を提供する。さらに、説明する態様は、ネットワーク接続性、通信帯域幅またはスループット、およびワイヤレスデバイスメモリおよび処理使用率に関する制約を有するワイヤレスネットワーク環境において効率的に動作するように動作可能である装置および方法を提供する。
【００５８】
したがって、説明する態様は、特に、ワイヤレスネットワーク環境用に最適化された「モバイル」ウィジェットに関する。モバイルウィジェットを理解するために、それらの同等物であるデスクトップウィジェットをも理解すべきである。デスクトップウィジェットは、専用ユーザインターフェースを介して特定の機能をエンドユーザに与える、本質的にコンパクトなクライアントアプリケーションである。ただし、モバイルウィジェットは、特に次のいくつかの点において、デスクトップウィジェットの簡単な拡張ではないことを理解されたい。（ａ）デスクトップウィジェットは記述が簡単であり、既存のウェブプログラミング技術（特にＪａｖａ（登録商標）ｓｃｒｉｐｔおよびＸＭＬなど）を活用する。いくつかの態様では、モバイルウィジェットは、デバイスメモリおよび処理能力における制限により、コンパクトなプロトコルを含み、限定されたインタプリタ（たとえば、Ｊａｖａ（登録商標）ｓｃｒｉｐｔ）を利用する。（ｂ）デスクトップウィジェットは一般に、一貫した接続性を予想して機能する。そのような一貫した接続性は、一貫性のない利用可能なスループット、限定されたセルラー容量、および特定のワイヤレスデータプランにより、ワイヤレスネットワーク環境において必ずしも可能ではない。（ｃ）標準Ｊａｖａ（登録商標）ｓｃｒｉｐｔ（たとえば、ＥＣＭＡＳｃｒｉｐｔバージョンなど）で指定されたデスクトップウィジェットによって利用される機能は、モバイルウィジェット開発者にまで拡張できるワイヤレスデバイス固有のＡＰＩとインターフェースしない。そのようなＡＰＩの例は、ハンドセット電力メータ、ロケーション情報、およびワイヤレス接続性ステータスを含む。（ｄ）いくつかの態様では、モバイルウィジェットアクセシビリティはいくつかの形態で与えられ、一般にデスクトップウィジェットは、直接ＰＣデスクトップ上でアクセス可能である。いくつかの態様では、モバイルウィジェットは、ワイヤレスデバイスアプリケーションマネージャを介してアクセス可能であり、他の態様では、モバイルウィジェットは、固有のモバイルウィジェット管理アプリケーションを介して、またはネットワークポータルを介してアクセス可能である。（ｅ）モバイルウィジェット発見およびインスタンス化は、ワイヤレスデバイスアプリケーションマネージャによって、またはモバイルウィジェット管理アプリケーションによって、あるいはネットワークポータルによって制御できる。対照的に、デスクトップウィジェット発見およびインスタンス化は、あるクライアントまたはあるポータルに制限されない。したがって、説明する態様は、ワイヤレスネットワーク環境用に最適化されたモバイルウィジェットサービスを与えるために、これらの事項を考慮に入れる。
【００５９】
特に、説明するモバイルウィジェットは、ワイヤレスデバイス上のコンテンツにアクセスするための代替案をモバイルブラウザに与え、また、個々のユーザが任意のワイヤレスデバイスのためのカスタムモバイルウィジェットまたはウェブリソースを容易に作成することを可能にする。
【００６０】
したがって、説明する態様は、モバイルブラウザを介してコンテンツを受信することに対して真の代替を提供し、ワイヤレスアクセス、ワイヤレスデバイス機能およびウェブ開発の制約を念頭に置いてシステムを開発することによって上記の課題に対処する。
【００６１】
エンドツーエンドシステムアーキテクチャ
図１〜図３を参照すると、非限定的な一態様では、モバイルウィジェットシステム１００は、ワイヤレスネットワーク環境におけるモバイルウィジェットの生成、記憶、配信、動作および管理のためのエンドツーエンドアーキテクチャを与える。
【００６２】
モバイルウィジェット１０２は、デバイス上で、ディスプレイなどユーザインターフェース７０２を介したデバイスエンドユーザ１０４への提示のためのコンテンツを取り出すために、コンテンツアクセスサーバ（ＣＡＳ）９００など、コンテンツソースと対話するために、ワイヤレス通信デバイス７００によって実行可能なコンパクトなアプリケーションまたはコードのセットを含む。非限定的な一態様では、たとえば、モバイルウィジェット１０２は、エンドユーザ１０４が最新ニュースを閲覧することを可能にするために、ニュースソースからデータフィードを取り出し、対応するニュースアイテムまたは（１つまたは複数の）ヘッドラインを表示するように動作可能なＲｅａｌｌｙ  Ｓｉｍｐｌｅ  Ｓｙｎｄｉｃａｔｉｏｎ（ＲＳＳ）リーダーとすることができる。
【００６３】
ただし、モバイルウィジェット１０２は、上記の例に限定されず、任意の機能を有し、任意のタイプのコンテンツを含むことができることに留意されたい。たとえば、モバイルウィジェット１０２は、テキスト、グラフィックス、音声、ビデオおよびマルチメディアコンテンツを含む、コンテンツプロバイダ９０２によって生成されるコンテンツを提示することができる。さらに、たとえば、モバイルウィジェット１０２によって提示可能なコンテンツは、広告サービングプラットフォーム１０００などからの広告を含むことができ、広告は他のコンテンツと混在するか、または唯一のコンテンツであることがある。広告サービングプラットフォーム１０００はコンテンツプロバイダ９０２の専用バージョンであり、システム１００に広告コンテンツを与え、システム１００における広告の配置を管理し、ワイヤレス通信デバイス７００上の広告の使用に関係するフィードバックを追跡することができる。さらに、広告サービングプラットフォーム１０００は、システム１００内の広告コンテンツの配置および管理を可能にするために広告主１００４とシステム１００の事業者１１０とに仮想市場を提供する、広告入札取引所など広告仮想交渉構成要素１００２とインターフェースするように動作可能である。
【００６４】
さらに、システム１００において、ワイヤレス通信デバイス７００は、モバイルウィジェット１０２の記憶、動作および管理のためのプラットフォームをエンドユーザ１０４に与える。たとえば、ワイヤレス通信デバイス７００は、ウィジェット管理システム３００などから、１つまたは複数のモバイルウィジェット１０２を取得するために実行可能であるウィジェット管理クライアント（ＷＭＣ）７０４を含むことができる。さらに、ＷＭＣ７０４は、モバイルウィジェット動作を監視し、ワイヤレス通信デバイス７００上のモバイルウィジェットアクティビティを追跡し、そのようなアクティビティをウィジェット追跡構成要素１１００に報告するために実行可能である。
【００６５】
ウィジェット管理システム（ＷＭＳ）３００は、たとえばワイヤレスインターフェース１０６およびメッセージルータ構成要素５００を介して、ＷＭＣ７０４と通信するように動作可能であり、購買および／またはワイヤレス通信デバイス７００へのダウンロードが可能な１つまたは複数のウィジェット１０２の１つまたは複数のカタログ３０２を含む。ＷＭＳ３００は、各デバイス７００にダウンロードされた各ウィジェット１０２のレコード、ならびに各デバイス７００上の各ウィジェット１０２の対応する構成を記憶するように動作可能なデジタルロッカー３０４を含むことができる。ウィジェット構成は、ウィジェット１０２の外観、ならびに１つまたは複数のコンテンツ更新設定を含むウィジェット１０２の動作に関係する設定を含むことができる。ウィジェットカタログ３０２およびウィジェット１０２へのアクセスを与えることとともに、ＷＭＳ３００は、エンドユーザ１０４に、エンドユーザ１０４にとって有益または興味のある可能性があるモバイルウィジェット１０２のアドバイス、提案または推薦を行うために、ウィジェットリコメンダ３０６を随意に含むことができる。
【００６６】
上記のように、メッセージルータ構成要素５００は、ＷＭＣ７０４と、システム１００のウィジェット供給構成要素およびコンテンツ供給構成要素との間でインターフェースするように動作可能である。特に、メッセージルータ構成要素５００は、モバイルウィジェット１０２をダウンロードすること、モバイルウィジェット１０２を構成すること、モバイルウィジェットコンテンツを更新すること、コンテンツ更新のスケジューリング、およびモバイルウィジェット１０２のアクティビティまたはそれとのエンドユーザ対話を追跡するデータの報告に関係するメッセージを交換するために、ＷＭＳ３００およびＣＡＳ９００とのインターフェースを与える。したがって、いくつかの態様では、メッセージルータ構成要素５００は、ＷＭＣ７０４とのすべての通信を管理および制御するネットワーク要素を定義する。
【００６７】
さらに、いくつかの態様では、システム１００は、利用可能なモバイルウィジェット１０２およびウィジェットカタログ３０２について照会するために、エンドユーザ１０４がＷＭＳ３００にアクセスすることを可能にするウィジェット管理ポータル８００を含むことができる。さらに、ウィジェット管理ポータル８００は、エンドユーザ１０４がワイヤレス通信デバイス７００上でモバイルウィジェット１０２の機能および外観を構成することを可能にする。したがって、ウィジェット管理ポータル８００は、モバイルウィジェット管理のための代替インターフェースをエンドユーザ１０４に与える。
【００６８】
システム１００では、ＷＭＳ３００は、ユニファイドウィジェットマネージャ（ＵＷＭ）２００から、モバイルウィジェット１０２とウィジェットカタログ３０２とを取得することができる。ＵＷＭ２００は、モバイルウィジェット１０２のためのシステム１００への制御されたエントリポイントを与える。特に、ＵＷＭ２００は、各モバイルウィジェット１０２がシステム１００内で機能するための１つまたは複数の所定のアーキテクチャ上のおよび／または動作上のウィジェット規格を満たすことを保証するように動作可能である。さらに、ＵＷＭ２００は、１つまたは複数のモバイルウィジェット開発者／プロバイダ１０８が、それらのそれぞれのモバイルウィジェット１０２を、システム１００のワイヤレスネットワークキャリアなど、事業者１１０に紹介することを可能にする共通の仮想市場を与える。たとえば、ウィジェット開発者／プロバイダ１０８は、開発者インターフェース２０２を介して、１つまたは複数のモバイルウィジェット１０２をＵＷＭ２００に提出することができ、事業者／キャリア１１０は、事業者インターフェース２０４を介して、ＵＷＭ２００においてモバイルウィジェット１０２にアクセスし検討することができ、開発者インターフェース２０２および事業者インターフェース２０４は、エクストラネットなどのネットワークアクセス可能なインターフェースとすることができる。さらに、たとえば、ＵＷＭ２００を介して、１つまたは複数の開発者／プロバイダ１０８と１つまたは複数の事業者／キャリア１１０とは、モバイルウィジェット価格設定、モバイルウィジェット動作、モバイルウィジェットコンテンツ更新、ウィジェットカタログ中のモバイルウィジェット配置、モバイルウィジェットビリング、開発者／プロバイダ補償、またはシステム１００における事業者／キャリアモバイルウィジェットコストの１つまたは複数に関して合意することができる、ウィジェット入札取引所など、ウィジェット仮想交渉構成要素２０６にアクセスすることができる。
【００６９】
さらに、いくつかの態様では、システム１００は、システム１００内の追跡されたデータおよびトランザクションを分析するためのバックエンドシステム１０１を有することができる。特に、バックエンドシステム１０１は、システム１００のデータを受信および考察する分析構成要素１２００と、分析構成要素１２００の分析の結果に基づいて、事業者／キャリアプロプライエタリ情報１３０２を含む報告を生成する報告構成要素１３００とを含むことができる。さらに、バックエンドシステム１０１は、システム１００における取引の決算をし、１つまたは複数のエンドユーザ１０４、開発者／プロバイダ１０８、事業者／キャリア１１０、または広告主９０８に借記および／または貸記するビリング構成要素１４００を含むことができる。たとえば、エンドユーザ１０４は、モバイルウィジェット１０２を購買し、それぞれのワイヤレス通信デバイス７００にダウンロードすることができる。この購買トランザクションは、ＷＭＳ３００によって記録され、それぞれ、取引の決算および取引に対応する請求書またはインボイスを生成するために報告構成要素１３００および／またはビリング構成要素１４００が使用する関連情報を抽出する分析構成要素１２００に報告できる。決算およびビリングは、たとえば、エンドユーザ口座に借記される購買価格／売掛金、事業者／キャリア口座に貸記される事業者／キャリア買掛勘定、開発者／プロバイダ口座に貸記される開発者／プロバイダ買掛勘定、または広告主口座に借記される広告主売掛金のうちの１つまたは複数を表すことができる。
【００７０】
システム１００内の構成要素、およびシステム１００によって与えられる機能は任意の方法で構成できることに留意されたい。たとえば、単一のシステム構成要素の様々な機能を、代わりに個々のシステム構成要素によって実行することができる。したがって、システム１００の態様は、様々な方法のいずれにおいても再構成でき、しかもなお、述べた機能を達成できることに留意されたい。
【００７１】
さらに、インフラストラクチャ構成要素、たとえば、図１中のワイヤレスインターフェース１０６の右側の構成要素は、インフラストラクチャ通信ネットワーク１１２と呼ばれるワイヤードリンクまたはワイヤレスリンクの１つまたは任意の組合せによって通信可能に結合できることに留意されたい。したがって、インフラストラクチャ通信ネットワーク１１２は、たとえば、ＬＡＮ、ＷＡＮ、ＰＳＴＮ、インターネット、回線交換および／またはパケット交換ネットワークを含む、ワイヤードネットワーク、ワイヤレスネットワーク、または組合せワイヤード／ワイヤレスネットワークとすることができる。
【００７２】
したがって、システム１００は、ワイヤレスネットワーク環境においてモバイルウィジェットを管理するためのエンドツーエンドシステムの一態様を与える。様々なシステム構成要素およびそれらの態様のさらなる詳細について次に論じる。
【００７３】
インフラストラクチャ要素／ネットワークデバイス
システム１００では、ネットワーク側またはインフラストラクチャ要素は、本明細書で説明する機能を実行するように動作可能なネットワークデバイスなど、１つまたは複数の任意のタイプのコンピュータデバイスを含むことができる。特に、ネットワークデバイスを含むことができるネットワーク側またはインフラストラクチャ要素は、限定はしないが、システム構成要素、すなわち、エンドユーザ１０４、開発者／プロバイダ１０８、事業者／キャリア１１０、ユニファイドウィジェットマネージャ（ＵＷＭ）２００、ウィジェット入札取引所２３０、ウィジェット管理システム（ＷＭＳ）３００、デジタルロッカー３０４、リコメンダ３０６、メッセージルータ５００、コンテンツアクセスサーバ（ＣＡＳ）９００、コンテンツプロバイダ９０２、広告サービングプラットフォーム１０００、広告入札取引所１００２、広告主１００４、ウィジェット追跡構成要素１１００、分析構成要素１２００、報告構成要素１３００、ビリング構成要素１４００、および、一般に、バックエンドシステム１０１の１つまたは任意の組合せを含む。
【００７４】
図４を参照すると、一態様では、そのようなコンピュータデバイスまたはネットワークデバイスは、ネットワークデバイス１２０によって表され、ネットワークデバイス１２０は、システム１００の他のネットワーク側またはインフラストラクチャ要素と、および／またはワイヤレス通信デバイス７００（図１）および／またはＷＭＣ７０４（図１）と通信するように動作可能である。ネットワークデバイス１２０は、システム１００（図１）の構成要素をリンクする通信ネットワーク上で動作可能なネットワークサーバなど、任意のタイプのネットワークベースの通信デバイスを含む。たとえば、通信ネットワークの基礎となるシステム１００（図１）は、ワイヤードまたはワイヤレス通信システム、あるいは両方の組合せとすることができ、ワイヤレス通信デバイス７００が動作する事業者／キャリアの１１０（図１）のワイヤレスアクセスネットワークなどワイヤレスインターフェース１０６を含む。
【００７５】
ネットワークデバイス１２０は、本明細書で説明する構成要素および機能のうちの１つまたは複数に関連する処理機能を実行するためのプロセッサ構成要素１２２を含む。プロセッサ構成要素１２２は、単一プロセッサ、あるいはプロセッサまたはマルチコアプロセッサの複数のセットを含むことができる。さらに、プロセッサ構成要素１２２は、統合処理システムおよび／または分散処理システムとして実装できる。特に、プロセッサ構成要素１２２は、入力を受け、処理し、本明細書で説明するそれぞれのインフラストラクチャ要素の機能に対応する出力を生成するために、メモリからソフトウェアプログラムまたはアプリケーションを実行するように動作可能である。
【００７６】
ネットワークデバイス１２０は、プロセッサ構成要素１２２によって実行されるスクリプト、コード、アルゴリズム、ヒューリスティック、ニューラルネットワーク、ルール、ファジィ論理および実行可能命令を含むソフトウェアプログラムまたはアプリケーションのローカルバージョンを記憶するためのなど、メモリ１２４をさらに含む。メモリ１２４は、ランダムアクセスメモリ（ＲＡＭ）、読取り専用メモリ（ＲＯＭ）、およびそれらの組合せの１つまたは複数のタイプを含むことができる。
【００７７】
さらに、ネットワークデバイス１２０は、本明細書で説明するように、ハードウェア、ソフトウェア、およびサービスを利用して、１つまたは複数の他の構成要素との通信を確立し、維持することを行う通信構成要素１２６を含む。通信構成要素１２６は、ネットワークデバイス１２０上の構成要素間、ならびにネットワークデバイス１２０と、ワイヤレス通信デバイス７００（図１）、他のネットワーク側またはインフラストラクチャ要素、あるいはネットワークデバイス１２０に直列またはローカルに接続された他のデバイスなどの外部デバイスとの間の通信を伝えることができる。通信構成要素１２０は、通信を受信するための受信機と、通信を送信するための送信機とを含む。さらに、通信構成要素１２０は、１つまたは複数のそれぞれのプロトコルに従ってメッセージを交換することを可能にするために、対応する受信チェーン構成要素と送信チェーン構成要素とを含む。
【００７８】
さらに、ネットワークデバイス１２０は、データベース１２８をさらに含むことができ、データベース１２８は、本明細書で説明する態様に関連して採用されるデータ／情報、データ関係、およびソフトウェアプログラム／アプリケーションの大容量記憶装置を与えるハードウェアおよび／またはソフトウェアの任意の適切な組合せとすることができる。
【００７９】
ネットワークデバイス１２０はさらに、ネットワークデバイス１２０のユーザから入力を受け、ユーザへの提示のための出力を生成するように動作可能なユーザインターフェース構成要素１３０を含む。ユーザインターフェース構成要素１３０は、限定はしないが、キーボード、テンキー、マウス、タッチセンシティブディスプレイ、ナビゲーションキー、ファンクションキー、マイクロフォン、音声認識構成要素、ユーザから入力を受けることが可能な他の機構、またはそれらの任意の組合せを含む、１つまたは複数の入力デバイスを含むことができる。さらに、ユーザインターフェース構成要素１３０は、限定はしないが、ディスプレイ、スピーカ、触覚フィードバック機構、プリンタ、出力をユーザに提示することが可能な他の機構、またはそれらの任意の組合せを含む、１つまたは複数の出力デバイスを含むことができる。
【００８０】
したがって、ネットワークデバイス１２０は、システム１００（図１）の１つまたは複数のネットワーク側またはインフラストラクチャ要素の機能を実行することを可能にするように動作可能な、ハードウェア、またはソフトウェア、あるいはハードウェアとソフトウェアとの組合せを含む。
【００８１】
ユニファイドウィジェットマネージャ
図１および図５を参照すると、上述のように、ＵＷＭ２００は、開発者／プロバイダ１０８が開発者インターフェース２０２を介してシステム１００に提示できる、および事業者／キャリア１１０が事業者／キャリアインターフェース２０４を介して管理できるモバイルウィジェット１０２のためのクリアリングハウスを与える。
【００８２】
開発者インターフェース２０２は、開発者／プロバイダ１０８がモバイルウィジェット１０２をシステム１００に提出するための、エクストラネットなどのアクセスポイントを与える。いくつかの態様では、提出されたモバイルウィジェット１０２は、ウィジェット検証構成要素２１２によって実行可能な検証プロセス２１０を受け、その結果、それぞれの提出されたウィジェット１０２は、信頼できるウィジェットまたは信頼できないウィジェットのいずれかになるか、あるいは代わりにシステム１００へのエントリを拒否される。検証プロセス２１０は、提出されたモバイルウィジェット１０２が１つまたは複数のウィジェットシステム規格２１６に準拠し、開発者／プロバイダ１０８によって設計されたシステム１００上で機能するかどうかを決定する、自動プロセス、手動プロセス、または両方の組合せとすることができる。提出されたモバイルウィジェット１０２が検証プロセス２１０を合格した場合、それぞれのモバイルウィジェット１０２は信頼できるウィジェットとして分類される。いくつかの態様では、信頼できるモバイルウィジェットは、信頼性を示すために、ＵＷＭ２００またはウィジェット検証構成要素２１２に対応するデジタル証明書など信頼インジケータを有することがある。提出されたモバイルウィジェット１０２が検証プロセス２１０を不合格になった場合、あるいは権利消滅状態によって、またはユーザによって直接定義されていることなどから、別の方法でシステム１００に入った場合、それぞれのモバイルウィジェット１０２を信頼できないウィジェットと見なすことができる。
【００８３】
ある態様では、開発者／プロバイダ１０８は、信頼できないウィジェットのタイプを表す未検証ウィジェットパッケージ２１６の形で、モバイルウィジェット１０２をシステム１００に提出することができる。未検証ウィジェットパッケージ２１６は、システム１００上のその動作およびその価格設定を含み、それぞれのウィジェットを定義する関係する構成要素を含むことができる。たとえば、一態様では、未検証ウィジェットパッケージ２１６は、ウィジェットを識別または記述する、および／またはウィジェットが向けられるターゲット層またはユーザ行動カテゴリを識別するためのウィジェット識別子２１８と、それぞれのウィジェットが、様々なタイプのワイヤレス通信デバイス７００など所与のコンピュータプラットフォーム、および／または異なる技術を使用するパーソナルコンピュータ（ＰＣ）上で動作することを可能にする命令、オブジェクトなどを備えるウィジェットアプリケーションまたはコード２２０と、ウィジェットによって表されるコンテンツをいつ更新すべきか、たとえば、好ましくは１日当たり数回のみ更新される天気ウィジェットに対して、ストックウォッチャーウィジェットは、好ましくは立会時間中は頻繁な更新、立会時間後はより少ない頻度の更新を有するなど、一部のウィジェットが示すように、ウィジェットの時間的態様は変化する、についての開発者／プロバイダ１０８の推奨または提案を定義する推奨された更新スケジュール２２２と、所望のエンドユーザ価格、開発者／プロバイダ補償または料金または使用料、割引、キャリア固有の価格設定、カタログタイプを含むカタログ配置考慮事項、およびスロッティング位置などのうちの１つまたは複数など、ウィジェットの１つまたは複数の価格関連および／またはマーケティング／販売関連の態様を定義する提案された価格設定２２４とを含むことができる。検証プロセス２１０を合格し、ウィジェット検証構成要素２１２によって定義された（１つまたは複数の）ウィジェットシステム規格２１４を達成すると、それぞれの未検証ウィジェットパッケージ２１６は、信頼できるウィジェットのタイプを表す検証済ウィジェットパッケージ２２６としてシステム１００に入ることを許される。
【００８４】
ＵＷＭ２００によって容認されたモバイルウィジェット１０２は、たとえば、それぞれ、開発者インターフェース２０２および事業者／キャリアインターフェース２０４を介して入ることができるウィジェット仮想交渉構成要素２０６を介して、開発者／プロバイダ１０８および事業者／キャリア１１０の両方によってアクセスおよび修正できる。開発者インターフェース２０２と同様に、事業者／キャリアインターフェース２０４は、事業者／キャリア１１０がＵＷＭ２００と対話するための、エクストラネットなどのアクセスポイントを与える。たとえば、１つまたは複数の事業者／キャリア１１０は、システム１００のエンドユーザ１０４が利用可能な１つまたは複数のウィジェットカタログ３０２中にそれぞれのウィジェットを含めることを希望するかどうかを決定するために、モバイルウィジェット１０２、またはいくつかの態様では、検証済ウィジェットパッケージ２２６を検討することができる。さらに、たとえば、ウィジェット仮想交渉構成要素２０６は、開発者／プロバイダ１０８および事業者／キャリア１１０が、ウィジェット価格設定、開発者補償、事業者補償、更新スケジューリングなど、それぞれのモバイルウィジェット１０２の様々な態様を交渉することを可能にする。一態様では、たとえば、ウィジェット仮想交渉構成要素２０６は、それぞれのモバイルウィジェット１０２に対応する合意に基づくパラメータを定義するために使用されるオークションプロセスの結果を制御および報告するために、オークション機能を含むウィジェット入札取引所を含むことができる。いずれの場合も、いくつかの態様では、開発者／プロバイダ１０８と事業者／キャリア１１０との間のウィジェットパラメータの最終セットに関する合意の後、モバイルウィジェット１０２は、交渉されたモバイルウィジェットパッケージ２２８によって定義できる。たとえば、交渉されたモバイルウィジェットパッケージ２２８は、識別子２１８と同様、または事業者／キャリア固有とすることができる、ウィジェットを識別または記述する、および／またはウィジェットが向けられるターゲット層またはユーザ行動カテゴリを識別するためのウィジェット識別子２３０と、ウィジェットアプリケーションまたはコード２２０と同様、または事業者／キャリア固有とすることができる、それぞれのウィジェットが所与のコンピュータプラットフォーム上で動作することを可能にする命令、オブジェクトなどを備えるウィジェットアプリケーションまたはコード２３２と、推奨された更新スケジュール２２２と同様、または事業者／キャリア固有とすることができる、交渉または最初に容認されたコンテンツ更新スケジュールを定義する交渉された更新スケジュール２３４と、提案された価格設定２２４と同様、または事業者／キャリア−開発者／プロバイダ固有または交渉固有とすることができる、交渉中に合意したウィジェットの１つまたは複数の価格関連および／またはマーケティング／販売関連の態様を定義する交渉された価格設定２３６とを含むことができる。
【００８５】
図６および図７を特に参照すると、非限定的な一例では、ウィジェット仮想交渉構成要素２０６（図１および図５）に対応するアーキテクチャ２４０および方法２６０の一態様は、オークション管理任務を実行するためにＵＷＭ２００と対話し、オークション結果を送信するように動作可能なオンラインオークションサーバ２４２を含む。たとえば、オンラインオークションサーバ２４２は、事業者／キャリア１１０（図１）へのモバイルウィジェットインベントリ、ならびに価格設定および配置など各モバイルウィジェットに関連付けられた入札可能なパラメータ（図７、アクション２６２）を提示するように動作可能である。たとえば、モバイルウィジェット配置に対応する入札可能なパラメータは、限定はしないが、ウィジェットウォール上の位置のスロッティング配置、ショッピングモバイルウィジェットの表示におけるそれぞれのモバイルウィジェットを特徴づけることに対応する「フィーチャード」パラメータ、およびウィジェットのカテゴリごとまたはウィジェットカタログごとのスロッティング配置などのパラメータを含むことができる。さらに、オンラインオークションサーバ２４２によって提示されるモバイルウィジェットは、ウィジェットが向けられるターゲット層またはユーザ行動カテゴリのデータなど、追加のターゲットメタデータを有することができる。したがって、事業者／キャリア１１０（図１）は、入札可能なアイテムにアクセスし、それに対応する入札を入力する（図７、アクション２６４および２６６）ことが可能である。オークション結果（図７、アクション２６６）に基づいて、ＵＷＭ２００は対応するモバイルウィジェット１０２および／またはモバイルウィジェットカタログ３０２のレコードを修正し（図７、アクション２６８）、モバイルウィジェットカタログ３０２は、ＷＭＳ３００によって受信され、デジタルロッカー３０４の対応するレコードにおいて更新される（図７、アクション２７０）。したがって、その結果、そのような更新されたレコードは次いで、エンドユーザ１０４（図１）が最新の情報にアクセスできるようにするために、ＷＭＣ７０４、およびウィジェット管理ポータル８００に利用可能になる。
【００８６】
さらに、いくつかの態様では、ＵＷＭ２００は、事業者／キャリア１１０が、たとえば事業者／キャリアインターフェース２０４を介してアクセス可能なカタログマネージャ構成要素２４０を使用して、１つまたは複数のモバイルウィジェット１０２を１つまたは複数のウィジェットカタログ３０２に編成することを可能にする。一態様では、たとえば、事業者／キャリア１１０は、ウィジェット機能によってなど、多くの異なる方法で編成できる１つまたは複数のウィジェットカタログ３０２に含めるための交渉されたウィジェットパッケージ２２８を選択する。さらに、たとえば、各ウィジェットカタログ３０２は、所与のスロッティング配置のための支払いなどに基づいて、所定の方法で編成できるモバイルウィジェット１０２のリストを含む。ウィジェットカタログ３０２は、各モバイルウィジェット１０２を記述するモバイルウィジェットメタデータと、ウィジェットの名前、ウィジェット機能の説明、ウィジェットのグラフィックまたは視覚表現、ウィジェット価格設定および購買情報などの１つまたは任意の組合せなど、カタログ閲覧者にとって興味のある可能性がある対応するパラメータとを含むカタログレコードによって定義できる。さらに、たとえば、ウィジェットカタログ３０２中のモバイルウィジェット１０２のリストは、エンドユーザ選好（preference）および／またはエンドユーザ行動情報、および／またはエンドユーザデバイス機能などに基づいて、ウィジェットカタログ３０２の生成後に変更できる。いずれの場合も、掲示されたモバイルウィジェット１０２がエンドユーザ１０４に利用可能になるように、カタログマネージャ構成要素２４０はさらに、事業者／キャリア１１０が、ウィジェットカタログ３０２をＷＭＳ３００に送信することを可能にする。
【００８７】
さらに、ＵＷＭ２００は、事業者／キャリア１１０が、モバイルウィジェット１０２の１つまたは複数のパラメータまたは特性を変更することを可能にするウィジェットマネージャ構成要素２４２をさらに含むことができる。たとえば、ウィジェットマネージャ構成要素２４２は、事業者／キャリア１１０が、システム１００上での動作についてそれぞれのモバイルウィジェット１０２を活動化または非活動化すること、識別子２３０などウィジェット識別子を設定または変更すること、アプリケーション／コード２３２などウィジェットアプリケーション／コードを設定または変更すること、更新スケジュール２３４などウィジェット更新スケジュールを設定または変更すること、および／または価格設定２３６など価格設定情報を設定または変更することを可能にする。一態様では、たとえば、ウィジェットマネージャ構成要素２４２は、特に、モバイルウィジェット１０２の１つまたはグループとの対話、およびそれらのための更新スケジュールの設定を可能にするために、更新スケジューリングマネージャ２４４をさらに含むことができる。たとえば、更新スケジューリングマネージャ２４４は、たとえば、エンドユーザ考慮事項、コンテンツの時間的態様などモバイルウィジェット特性、および事業者／キャリア考慮事項を考慮に入れる、および／またはそれらのバランスをとる、個々のモバイルウィジェット１０２またはそのグループ、あるいはエンドユーザ１０４のための自動化された更新スケジュールを与えるように動作可能な、論理、アルゴリズム、ヒューリスティック、ファジィ論理、ニューラルネットワークなどを含むことができる。
【００８８】
したがって、ＵＷＭ２００は、開発者／プロバイダ１０８がモバイルウィジェット１０２をシステム１００に提出するためのアクセスポイントおよびインターフェース機能を与える。さらに、ＵＷＭ２００は、システム１００内での動作についてモバイルウィジェット１０２を承認するための検証機能を与える。さらに、ＵＷＭ２００は、開発者／プロバイダ１０８および事業者／キャリア１１０が、モバイルウィジェット１０２の会計および動作パラメータに関して交渉および合意することを可能にする、クリアリングハウスまたは市場を与える。その上、ＵＷＭ２００は、事業者／キャリア１１０が、システム１００内でウィジェットカタログ３０２およびモバイルウィジェット１０２のコンテンツおよび特性を管理するためのアクセスポイントおよびインターフェース機能を与える。
【００８９】
ウィジェット管理システム
図１および図８を参照すると、ＷＭＳ３００は、モバイルウィジェット１０２と、ウィジェットカタログ３０２と、ウィジェット動作または構成パラメータに対する変更などのウィジェット修正とを取得するためにＵＷＭ２００と対話するインフラストラクチャ要素である。さらに、ＷＭＳ３００は、エンドユーザ１０４が、ワイヤレス通信デバイス７００上のＷＭＣ８０４および／またはウィジェット管理ポータル８００を介して、モバイルウィジェット１０２を閲覧し、選択し、購買／ダウンロードし、構成することを可能にするエンドユーザ対面インターフェースを与える。さらに、ＷＭＳ３００は、モバイルウィジェット構成および加入パラメータを記憶し、実装することと、モバイルウィジェットトランザクションを実施し、記録し、それについて報告することとのための、ワイヤレス通信デバイスへのモバイルウィジェット配信に対する管理機能を与える。
【００９０】
一態様では、たとえば、ＷＭＳ３００は、１つまたは複数のウィジェットカタログ３０２および／または１つまたは複数のモバイルウィジェット１０２を記憶するためのウィジェットデータベース３１０を含む。さらに、ＷＭＳ３００は、エンドユーザ１０４が、ワイヤレス通信デバイス７００上に購買および／またはダウンロードするためにウィジェットカタログ３０２または個々のモバイルウィジェット１０２にアクセスできるようにする、ＷＭＣ７０４および／またはウィジェット管理ポータル８００と対話する加入マネージャ構成要素３１２を含むことができる。
【００９１】
さらに、加入マネージャ構成要素３１２は、デジタルロッカー３０４などのデータベース中の１つまたは複数の加入者レコード３１４を制御するように動作可能とすることができる。各加入者レコード３１４は、加入者のモバイルウィジェットの管理および制御を可能にするために、各エンドユーザに関する情報と、各エンドユーザに対応する各モバイルウィジェット１０２に関する情報とを含む。たとえば、一態様では、加入者レコード３１４は、名前、加入者番号、電話番号、ワイヤレスデバイス通し番号など、所与のエンドユーザ１０４および／またはワイヤレス通信デバイス７００を一意に識別するために使用できる加入者識別子３１６と、加入識別子、加入説明、加入キー、ライセンス、有効期間、サービスレベル、およびワイヤレスデバイス上のモバイルウィジェットの動作を可能にすることに関係する他の情報を含み、エンドユーザ１０４および／またはワイヤレス通信デバイス７００が、個々のモバイルウィジェットまたはある種別のモバイルウィジェットを受信するかまたは動作させることを許可することができ、さらに、モバイルウィジェットに対応するいくつかのサービスレベルのうちの１つを可能にすることができるサービスレベルを許可または識別することができ、そのようなサービスレベルは、それぞれのモバイルウィジェットによって実行されるコンテンツ更新、メッセージ交換などの数または量を調整することができる、加入情報３１８と、ワイヤレス通信デバイス７００および／またはＷＭＣ７０４に購買／ダウンロードされ、動作を許可された１つまたは複数のモバイルウィジェット１０２を識別するモバイルウィジェット識別子３２０と、各モバイルウィジェット識別子３２０に対応し、ユーザ選好に従ってそれぞれのモバイルウィジェットを個人化するためにエンドユーザによって入力される、ユーザ定義／カスタマイズされた構成データを含むことができ、対応するモバイルウィジェット１０２がどのように提示され、および／または動作するかを定義するモバイルウィジェット構成データ３２２と、エンドユーザ１０４が、それぞれのモバイルウィジェット１０２にアクセスし、それを購買／ダウンロードし、構成することに関係するトランザクション詳細を含むトランザクション履歴３２４と、エンドユーザ１０４について説明し、エンドユーザ１０４の人口統計学的情報を定義し、および／またはエンドユーザ１０４の行動情報を定義する情報を含み、そのような情報は、モバイルウィジェットをエンドユーザ１０４に推薦し、および／または広告をエンドユーザ１０４に与えるためなどのマーケティング目的に利用できる、加入者プロファイル３２６とのうちの１つまたは任意の組合せを含むことができる。したがって、ＷＭＳ３００は、デジタルロッカー３０２によってシステム１００中の各モバイルウィジェット１０２と各加入者またはエンドユーザ１０４との間の関係を記憶し、制御する。
【００９２】
随意に、ＷＭＳ３００は、加入者／エンドユーザ１０４に関係のあるモバイルウィジェット１０２を提案するための、ウィジェットスロッティング情報またはウィジェット広告関連情報と、マーケティングデータおよび／または販売データのプロバイダなどの他の外部エンティティとを取得するために、加入マネージャ構成要素３１２と、デジタルロッカー３０４と、ウィジェットデータベース３１０と、ＵＷＭ２００またはＣＡＳ９００などの他のインフラストラクチャ要素と対話するように動作可能なリコメンダ構成要素３０６とを含むことができる。たとえば、一態様では、リコメンダ構成要素３０６は、モバイルウィジェットメタデータなど、利用可能なモバイルウィジェットに関するデータを収集することと、加入情報３１８、トランザクション履歴３２４および加入者プロファイル情報３２６など、加入者／エンドユーザに関するデータを収集することと、またはウィジェット人気度、ウィジェット収益性、ウィジェット売上高、ウィジェット広告、ウィジェット位置決め／スロッティング、ウィジェットマーケティングなどに関係する他の内部または外部情報を収集することとのうちの１つまたは任意の組合せを実行するように動作可能なデータコレクタモジュール３３０を含むことができる。さらに、リコメンダ構成要素３０６は、利用可能なモバイルウィジェットまたはカタログ、利用可能な加入者／エンドユーザデータ、および／または外部ウィジェット関連情報のうちの１つまたは複数の間の潜在的なマッチを決定するために、１つまたは複数のアルゴリズム、ヒューリスティック、ファジィ論理などを実行するように動作可能なアナライザモジュール３３２を含むことができる。さらに、アナライザモジュール３３２の結果に基づいて、リコメンダ構成要素３０６は、加入者／エンドユーザ１０４に関係のある、および／または加入者／エンドユーザ１０４に販売促進するために事業者／キャリア１１０にとって経済的関心のある、１つまたは複数のモバイルウィジェット１０２またはウィジェットカタログ３０２への参照またはリンク、またはその識別情報を含むメッセージを生成するように動作可能なリコメンダモジュール３３４をさらに含むことができる。したがって、リコメンダ構成要素３０６は、任意の数の構成可能なパラメータに基づいて、モバイルウィジェット１０２またはウィジェットカタログ３０２を加入者／エンドユーザ１０４に動的に提案または推薦するように動作可能である。
【００９３】
さらに、いくつかの態様では、ＷＭＳ３００は、モバイルウィジェット１０２をダウンロード／購買する際のＷＭＳ３００とのエンドユーザ１０４の対話を追跡し、課金およびビリング目的のためにそのようなアクティビティをバックエンドシステム１０１に報告するビリングレポータ構成要素３４０をさらに含むことができる。たとえば、ビリングレポータ構成要素３４０は、加入者／エンドユーザ１０４によるモバイルウィジェット１０２のダウンロードまたは購買に関係するトランザクションデータを収集するために、加入マネージャ構成要素３１２および／またはデジタルロッカー３０４と対話するように動作可能なトランザクションコレクタモジュール３４２を含むことができる。さらに、レポータモジュール３４４は、トランザクションコレクタモジュール３４２と対話し、対応する加入者情報、モバイルウィジェットメタデータ、および購入価格などのトランザクション固有のデータの態様を識別するトランザクション詳細を含む、収集されたトランザクションを文書化するバックエンドシステム１０１への送信のためのメッセージを生成するように動作可能である。したがって、ビリングレポータ構成要素３４０は、バックエンドシステムをビリング関連情報で更新するように動作可能である。
【００９４】
メッセージルータ
図１および図９を参照すると、一態様では、システム１００は、ＷＭＳ３００やＣＡＳ９００などのネットワークインフラストラクチャと、ワイヤレス通信デバイス７００および／またはＷＭＣ７０４との間の通信インターフェースを与える、メッセージルータ（ＭＲ）５００などのネットワーク要素を含む。特に、一態様では、メッセージルータ５００は、ワイヤレスインターフェース１０６を介して無線（ＯＴＡ）メッセージを送信および／または受信することによって、ＷＭＣ７０４と直接通信し、さらに、それらのメッセージを、１つまたは複数のインフラストラクチャ通信ネットワークを介してＷＭＳ３００および／またはＣＡＳ９００に中継する。
【００９５】
メッセージルータ５００とＷＴＣ７０４との間のワイヤレスインターフェース１０６は、メッセージルータ５００、ＷＭＳ３００およびＣＡＳ９００を接続する１つまたは複数のインフラストラクチャネットワークとは異なるトランスポートプロトコルを有することができることに留意されたい。したがって、いくつかの態様では、メッセージルータ５００は、メッセージルータ５００が、様々なプロトコルを用いて動作するデバイスまたはトランスポート媒体間のメッセージを交換すること可能にするプロトコルトランスレータ構成要素５０２を含むことができる。たとえば、プロトコルトランスレータ構成要素５０２は、１つのプロトコルから別のプロトコルにメッセージを変換するために、変換データベース５０６にアクセスするように動作可能な変換論理を有するトランスレータモジュール５０４を含むことができる。たとえば、トランスレータモジュール５０４は、ＷＭＣ−ＭＲプロトコルメッセージ５０８、たとえばワイヤレスインターフェース１０６のプロトコルに従って送信されたＷＭＣ発信メッセージを、ＭＲ−インフラストラクチャメッセージ５１０、たとえば対応するインフラストラクチャ通信ネットワーク１１２のプロトコルに従って送信されたメッセージに変換するように動作可能である。同様に、たとえば、トランスレータモジュール５０４は、インフラストラクチャ−ＭＲプロトコルメッセージ５１２、たとえば対応するインフラストラクチャ通信ネットワーク１１２のプロトコルに従って送信されたインフラストラクチャ発信メッセージを、ＭＲ−ＷＭＣメッセージ５１４、たとえばワイヤレスインターフェース１０６のプロトコルに従って送信されたメッセージに変換するように動作可能である。そのようなメッセージ変換を実行する際に、トランスレータモジュール５０４は、発信デバイス／インターフェース５１６、宛先デバイス／インターフェース５１８、および通信プロトコル５２０に対応する関係およびデータを記憶するローカルまたはリモート変換データベース５０６にアクセスするように動作可能である。たとえば、変換データベース５０６を使用して、トランスレータモジュール５０４は、それぞれの発信デバイスから受信したメッセージに使用される対応するプロトコル、または発信デバイス／インターフェース５１６のデータによって定義された対応する発信インターフェースを介してトランスポートされたメッセージに使用される対応するプロトコルを識別または決定することが可能である。同様に、たとえば、変換データベース５０６を使用して、トランスレータモジュール５０４は、それぞれの宛先デバイスに宛てられたメッセージに使用すべき対応するプロトコル、または宛先デバイス／インターフェース５１８のデータによって定義された対応する宛先インターフェースを介してトランスポートすべきメッセージに使用すべき対応するプロトコルを決定することが可能である。たとえば、デバイスおよび／またはインターフェースと、対応するプロトコル５２０との間に関係を与えるために、発信デバイス／インターフェース５１６と宛先デバイス／インターフェース５１８とを組み合わせることができることに留意されたい。
【００９６】
いずれの場合も、メッセージルータ５００は、任意の所望のプロトコルでメッセージをトランスポートするように動作可能である。たとえば、そのようなプロトコルは、ハイパーテキスト転送プロトコル（ＨＴＴＰ）、インターネットプロトコル（ＩＰ）ソケットプロトコル、ショートメッセージサービス（ＳＭＳ）プロトコル、および符号分割多元接続（ＣＤＭＡ）ベースのプロトコルやＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））ベースのプロトコルなどの任意のワイヤードおよび／またはワイヤレスネットワークプロトコルを含むことができる。
【００９７】
ワイヤレスインターフェース
図１を参照すると、ワイヤレスインターフェース１０６は、様々なワイヤレス通信システムのいずれか１つまたは任意の組合せとすることができる。そのようなシステムは、しばしば様々なスペクトル帯域幅および／または様々なエアインターフェース技術を採用する。例示的なシステムには、上述のワイヤレスシステムの１つまたは任意の組合せがある。
【００９８】
インフラストラクチャ通信ネットワーク
図１を参照すると、インフラストラクチャ通信ネットワーク１１２は、様々なワイヤードまたはワイヤレス通信システムのいずれか１つまたは任意の組合せ、あるいは両方の組合せとすることができる。例示的なシステムには、上述のワイヤードまたはワイヤレスシステムの１つまたは任意の組合せがある。
【００９９】
ワイヤレス通信デバイスおよびウィジェット関連構成要素
図１０に、モバイルウィジェット１０２を記憶し、提示し、管理するように動作可能なワイヤレスデバイス７００のハイレベルブロック図を示す。前記のように、ワイヤレスデバイスは、ワイヤレス通信システム上で動作することが可能な任意のデバイスを含むことができる。たとえば、ワイヤレスデバイス７００は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された他の処理デバイスとして具現できる。ワイヤレス通信システムは、様々なスペクトル帯域幅および／または様々なエアインターフェース技術をしばしば採用する、様々なシステムのいずれかとすることができる。例示的なシステムには、ＣＤＭＡ（ＣＤＭＡ２０００、ＥＶ  ＤＯ、ＷＣＤＭＡ）、ＯＦＤＭ、またはＯＦＤＭＡ（Ｆｌａｓｈ−ＯＦＤＭ、８０２．２０、ＷｉＭＡＸ）、ＦＤＤまたはＴＤＤ認可スペクトルを使用するＦＤＭＡ／ＴＤＭＡ（ＧＳＭ（登録商標））システム、不対無認可スペクトルをしばしば使用するピアツーピア（たとえば、モバイル間など）アドホックネットワークシステム、および８０２．ｘｘワイヤレスＬＡＮまたはＢＬＵＥＴＯＯＴＨ（登録商標）技法がある。
【０１００】
ワイヤレスデバイス７００は、メモリ７０６と、メモリ７０６と通信しているプロセッサ７０８とを含む。プロセッサ７０８は、本明細書で説明する構成要素および機能のうちの１つまたは複数に関連する処理機能を実行するように動作可能である。プロセッサ７０８は、プロセッサまたはマルチコアプロセッサの単一または複数のセットを含むことができる。さらに、プロセッサ７０８は、統合処理システムおよび／または分散処理システムとして実装できる。メモリ７０６は、モバイルウィジェット１０２など、プロセッサ７０８によって実行されているアプリケーションを記憶するように動作可能である。メモリ７０６は、ランダムアクセスメモリ（ＲＡＭ）、読取り専用メモリ（ＲＯＭ）、およびそれらの組合せを含むことができる。
【０１０１】
さらに、ワイヤレスデバイス７００は、ワイヤレスデバイス７００のユーザから入力を受け、ユーザへの提示のための出力を生成するように動作可能なユーザインターフェース７０２を含む。したがって、ユーザインターフェース７０２は、限定はしないが、キーボード、テンキー、マウス、タッチセンシティブディスプレイ、ナビゲーションキー、ファンクションキー、マイクロフォン、音声認識構成要素、ユーザから入力を受けることが可能な他の機構、またはそれらの任意の組合せを含む、１つまたは複数の入力デバイスを含むことができる。さらに、ユーザインターフェース７０２は、限定はしないが、ディスプレイ、スピーカ、触覚フィードバック機構、プリンタ、出力をユーザに提示することが可能な他の機構、またはそれらの任意の組合せを含む、１つまたは複数の出力デバイスを含むことができる。本明細書の態様では、開示するユーザインターフェース７０２は、ウィジェット１０２の視覚提示を与えるように動作可能なディスプレイ、視覚提示を与え、ウィジェット１０２への入力を受けるように動作可能なタッチセンシティブディスプレイ、および／またはウィジェット１０２への入力を受けるキーパッドなどを含むことができる。
【０１０２】
メモリ７０８は、１つ、２つ、または複数のモバイルウィジェット１０２を記憶する。前記のように、モバイルウィジェット１０２は、視覚ディスプレイなどの専用ユーザインターフェース７０２を介してコンテンツ配信などの特定の機能をユーザに与える、ワイヤレスデバイス７００上で実行可能なアプリケーションである。たいていの例では、モバイルウィジェット１０２は、ワイヤレスネットワークを介して配信されるウェブ／インターネットベースのコンテンツへのユーザアクセスを与えることができる。しかしながら、他の例では、モバイルウィジェット１０２は、たとえば、現在のバッテリステータス、現在位置など、デバイスベースのコンテンツへのアクセスを与えることができる。
【０１０３】
さらに、メモリ７０８は、メモリ７０８に記憶された各モバイルウィジェットアプリケーション１０２用の対応するウィジェットマネージャ７１０を含むウィジェット管理クライアント（ＷＭＣ）７０４を記憶する。ＷＭＣ７０４は、ワイヤレス通信ネットワークから１つまたは複数のモバイルウィジェット１０２をワイヤレスに取得し、モバイルウィジェット動作を監視するように実行可能である。さらに、ＷＭＣ７０４、詳細にはウィジェットマネージャ７１０は、ワイヤレス通信デバイス７００上のモバイルウィジェットアクティビティを追跡し、そのようなアクティビティをウィジェット追跡構成要素１１００などのネットワーク構成要素に報告するように実行可能とすることができる。また、ウィジェットマネージャ７１０は、コンテンツを更新するためのスケジュールに対する管理と、ユーザインターフェース７０２上のコンテンツの提示の構成に対する管理とを行うことができる。
【０１０４】
図１１は、ワイヤレス通信デバイス７００に記憶されたウィジェット管理クライアント（ＷＭＣ）７０４のより詳細なブロック図である。ＷＭＣは、ワイヤレスデバイス７００に記憶されたモバイルウィジェット１０２にそれぞれ対応する１つまたは複数のウィジェットマネージャ７１０を含む。図１１の例示の態様は、ウィジェットマネージャ７１０−Ａ、７１０−Ｂおよび７１０−Ｎを示し、Ｎは複数のウィジェットマネージャの中の最後のウィジェットマネージャ７１０を表す。
【０１０５】
ウィジェットマネージャ７１０は、１つまたは複数の事前設定されたコンテンツ配信属性に基づいてコンテンツ配信のスケジュールを更新するように動作可能な論理を含む、コンテンツ更新スケジューラ７１２を含む。コンテンツ配信属性は、限定はしないが、ウィジェット使用、時刻／週／月／年、ユーザ／デバイスロケーションなどを含むことができる。たとえば、ウィジェット使用は、より頻繁にアクセスされるウィジェット（たとえば、クリックされるウィジェットなど）には、より頻繁なコンテンツ更新を行い、アクセスの少ないウィジェットには、あまり頻繁でないコンテンツ更新を行うことを規定することができる。別の例では、論理は、ユーザが一日のうちのどの時間にウィジェットにアクセスする可能性が高いかを決定し、今度は、その時間中により頻繁なコンテンツ更新をスケジュールすることができる。さらに、ユーザ／デバイスが指定されたロケーションの近傍にあるとき、より頻繁なまたはあまり頻繁でない更新を行うように、論理はロケーションをコンテンツ更新に関連付けることができる。たとえば、ユーザがスポーツスタジアムの近傍内にいる場合、論理は、スポーツ情報関連ウィジェットに対してより頻繁な更新を行うように構成できる。
【０１０６】
コンテンツ更新スケジューラ７１２は、１つまたは複数のコンテンツ配信属性に基づいて更新スケジュールを決定するための論理を与えるが、スケジュールは、コンテンツ配信のためのネットワーク選好／ファクタ、および／またはコンテンツスケジュールのユーザ構成に基づくこともできることに留意されたい。したがって、コンテンツ更新スケジュール７１２は、コンテンツ配信属性、ネットワーク選好／ファクタ、および／またはユーザ構成に基づいて、コンテンツ配信の優先順位付け、重み付け、あるいはファクタリングを行う論理をさらに含むことができる。さらに、各ウィジェットマネージャ７１０は、ユーザが、ウィジェットウィザード７１８のウィジェット管理モジュール７２２中のオプションによって、コンテンツ更新スケジューラ７１２をオーバーライドするか、ユーザ自身のコンテンツ更新スケジュールを与えることができるように構成できる。さらに、ウィジェットは、ユーザがコンテンツ更新を瞬時に要求できるようにするボタンまたは他のユーザインターフェースをもつウィジェットウィザード７１８のウィジェット管理モジュール７２２によって構成できる。
【０１０７】
ウィジェットマネージャ７１０はまた、ウィジェット使用情報を収集し、報告するように動作可能な論理を含むウィジェット使用レポータ７１４を含む。図１２は、ウィジェット使用レポータ７１４のより詳細なブロック図である。レポータ７１４は、ウィジェット使用データ７４２を収集するように動作可能な使用データコレクタ７４０を含むことができる。ウィジェット使用データは、限定はしないが、ウィジェットアクセス頻度、アクセスの深さ（すなわち、アクセス中にウィジェットがいくつのクリックスルーを受けるか）、ウィジェットがアクセスされる時刻／週などを含むことができる。使用レポータ７１４は使用データ記憶域７４４をさらに含むことができ、または随意に、ウィジェット使用データ７４２は、ウィジェット管理クライアント７０４のウィジェット使用レポータ７１４の外部の別のデータ記憶構成要素に記憶できる。使用レポータ７１４は、ネットワーク事業者、ウィジェット開発者および／またはサードパーティ報告基準に基づいて未加工使用データを１つまたは複数の使用データ報告７４８にコンパイルするように動作可能な使用データ報告コンパイラ７４６をさらに含むことができる。代替的に、他の態様では、ウィジェット使用レポータは未加工ウィジェット使用データ７４２をネットワークに通信することができる。
【０１０８】
未加工ウィジェット使用データ７４２またはコンパイルされた使用報告７４８のいずれかである収集されたウィジェット使用情報をネットワークエンティティに通信することができる。たとえば、ウィジェット使用データ７４２は、ウィジェット管理システム（ＷＭＳ）３００（図１および図８）のデジタルロッカー３０４などのネットワークエンティティに通信できる。ＷＭＳは、ウィジェットのコンテンツ更新スケジュールを決定し、ユーザのパーソナルウィジェットカタログなどにおいてウィジェットに優先順位を付けるために、使用データ７４２を実装することができる。さらに、ＷＭＳ３００は、報告目的および／またはビリング目的のために使用情報をバックエンドシステム１０１（図１）に通信することができる。
【０１０９】
図１１を再び参照すると、ウィジェットマネージャ７１０は、１つまたは複数のレンダリング属性に基づいてワイヤレスデバイス７００上にウィジェット１０２を提示するように動作可能な論理を含むウィジェット固有のレンダラ７１６をさらに含む。レンダリング属性は、ウィジェット使用、時刻／週／月／年、ユーザ／デバイスロケーションなどを含む。たとえば、ウィジェット使用は、より頻繁にアクセスされるウィジェット（たとえば、クリックされるウィジェットなど）をユーザインターフェースの初期ウォール上に与えるか、またはユーザインターフェース上の目立つ位置に与えることを規定することができる。別の例では、論理は、日付が秋のシーズン中の日曜日であることを決定し、したがって、フットボールスコアを報告するウィジェットをユーザインターフェースの初期ウォール上に与えるか、またはユーザインターフェース上の目立つ位置に与えることができる。ウィジェット固有のレンダラ７１６は、ディスプレイ上のどこにウィジェットをレンダリングすべきかを決定する論理を与えるが、レンダラ７１６は、論理によって行われたレンダリング決定をオーバーライドまたは増補することができるレンダリングルールのユーザ構成をも与えることができることに留意されたい。
【０１１０】
ＷＭＣ７０４は、ワイヤレスデバイス７００上にどのウィジェット１０２を記憶し、提示するかを管理するためのインターフェース、ならびにマーケットプレイスからウィジェットを購買あるいは取得するためのインターフェースをユーザに与えるように動作可能な、ウィジェットウィザード７１８などのウィジェットユーザインターフェースをさらに含む。ウィジェットウィザード７１８などのワイヤレスデバイスベースのユーザインターフェースに加えて、システム１００は、デバイスユーザが、構成設定を変更し、追加のウィジェットを購買／取得し、あるいはワイヤレスデバイス上に提示されるウィジェットを管理するために、ＰＣなど、別のワイヤードまたはワイヤレスデバイスからネットワークにアクセスすることを可能にするネットワークベースのユーザウィジェット管理ポータル８００（図１）を含むことができる。
【０１１１】
ウィジェットウィザード７１８は、ユーザインターフェース７０２上に表示されるウィジェットに対する管理をユーザに与えるように動作可能なウィジェット管理モジュール７２０を含むことができる。さらに、ウィジェットウィザード７１８は、ネットワーク事業者または何らかの他のネットワークソースから現在利用可能なウィジェットの現在のリストをユーザに与えるように動作可能なウィジェットカタログ７２２を含むことができる。図１３は、ウィジェット管理モジュール７２０とウィジェットカタログ７２２とを含むウィジェットウィザード７１８の様々な構成要素のより詳細なブロック図である。ウィジェット管理モジュールは、ワイヤレスデバイス上に現在記憶されているウィジェット１０２のリストの表示を与えるウィジェットリスト７５０を与えることができる。リスト７５０は、ユーザが、ユーザインターフェースを選択されたウィジェットで瞬時に更新することを可能にする。この点について、ユーザは、現在提示／表示されているウィジェットを瞬時に非活動化し、そのウィジェットを、デバイス上に記憶されている別のウィジェットと交換することができる。さらに、ウィジェット管理モジュール７２０は、ユーザがパーソナル選好に基づいてウィジェットを構成できるように動作可能なウィジェット構成モジュール７５２を与える。ウィジェット構成モジュール７５２は、ユーザが、各ウィジェットに対してコンテンツ更新を行う頻度を定義できるように動作可能なコンテンツ更新スケジュール構成７５４と、ディスプレイ上の位置、ウィジェットのサイズなど、ウィジェットがユーザインターフェース上にレンダリング／提示される方法を定義する能力をユーザに与えるように動作可能なコンテンツレンダリング構成７５６とを含むことができる。構成モジュール７５２中の構成設定へのユーザ変更時に、ウィジェットウィザード７１８は、ユーザ１０４および／またはワイヤレスデバイス７００に関連するデジタルロッカー３０４に記憶するために、構成変更をネットワークにアップロードあるいは通信することができる。
【０１１２】
ウィジェットウィザード７１８は、ネットワークソースから現在利用可能なウィジェットのウィジェットリスト７５８を与えるウィジェットカタログ７２２をさらに含むことができる。カタログ中のウィジェットのリストは、ユーザにとって利用可能なウィジェットの流通を保証するために、設定されたスケジュールまたはユーザ入力に基づいて周期的に更新できる。カタログの更新または初期受信は、ＷＭＳ３００によって行われる。さらに、リスト７５８は、前のウィジェット使用パターン、または時間、ロケーションなどの他の属性に基づいてユーザのためにカスタマイズできる。
【０１１３】
いくつかの態様では、ウィジェットカタログ７２２を介して広告ウィジェットをオプションとしてクライアントに提示することができる。いくつかの態様では、他のウィジェットのコストを補助するか、あるいは置き換える手段としてユーザに広告ウィジェットを提供することができる。ウィジェット管理クライアント７０４が広告ウィジェットの提示を行うように構成される場合、広告ウィジェットは、他の場合はユーザがウィジェットウィザード７１８によってウィジェットを管理または構成できるようにする「ロックされた」ウィジェットになることに留意されたい。広告ウィジェットをロックすることによって、ネットワーク事業者および／または広告主は、ユーザが他の方法で広告ウィジェットのオプトアウトを選択することがなければ、広告が表示／提示されていることを保証される。さらに、広告ウィジェットを考慮に入れる態様では、ウィジェット使用レポータ７１４は、広告が閲覧された時間、または広告がアクセスされた深さなど、ユーザが広告に対して経験する対話に関係する使用データの特定の収集および報告を行うように構成できる。
【０１１４】
図１１を再び参照すると、ＷＭＣ７０４は、更新コントローラ７２４と更新アダプタ７２６とをさらに含む。更新コントローラ７２４は、ＷＭＣ７０４との間のアップストリームおよびダウンストリームデータ配信を制御するように動作可能である。たとえば、更新コントローラ７２４は、ネットワークエンティティへの使用データ７４２または使用データ報告７４８の配信、ウィジェット構成設定、および／または、新しいまたは更新されたウィジェットを購買／取得したいというユーザ要求を制御するように動作可能とすることができる。いくつかの態様では、更新コントローラ７２４は、データを照合し、ウィジェット管理システム（ＷＭＳ）３００などのネットワークエンティティに供給するように動作可能とすることができる。さらに、更新コントローラ７２４は、ウィジェットコンテンツ更新、ウィジェットカタログ７２２に対する更新、コンテンツ更新スケジュールの構成設定、コンテンツ報告要求などを受信するように動作可能とすることができる。
【０１１５】
さらに、更新アダプタ７２６は、ＷＭＣ７０４から適切なネットワークエンティティへのデータのアップストリームおよびダウンストリームトランスポートを処理するように動作可能である。この点について、更新アダプタ７２６は、指定されたタイプのネットワーク接続、たとえば、インターネットプロトコル（ＩＰ）ソケット、ハイパーテキスト転送プロトコル（ＨＴＴＰ）ソケット、ショートメッセージングサービス（ＳＭＳ）などを介してデータを受信／送信するように動作可能である。さらに、更新アダプタ７２６は、ウィジェットの既存の構成をＷＭＳプッシュ型構成と比較し、それに応じて新しいウィジェットのインスタンス化および／または非活動ウィジェットの無効化など、構成への変更を行うように動作可能である。
【０１１６】
ＷＭＣ７０４は、スループット時間を感知し、ウィジェットのコンテンツ更新をダウンロードするための時間を推定するように動作可能なスループットセンサ７２８をさらに含むことができる。スループットセンサ７２８は、ＷＭＣ７０４の開始時に作動するように動作可能であり、ＩＰ接続を確立し、ラウンドトリップ時間（ＲＴＴ）を測定することによって近似スループット時間を感知することができる。近似スループット時間と、当該のウィジェットの前のコンテンツ更新のサイズとに基づいて、ウィジェットを更新するための時間の推定値を確立し、ユーザが更新を要求するとき、その推定値をユーザに与えることができる。さらに、コンテンツ更新が時間の所定のしきい値よりも多くの時間を必要とする場合、スループットセンサ７２８はユーザ警告を与えるように構成できる。
【０１１７】
ＷＭＣ７０４は、ＷＭＣ７０４に関連する加入者／ユーザ識別記号を決定するように動作可能な加入者ＩＤ／証明決定器７３０をさらに含むことができる。一態様では、加入者ＩＤ決定器７３０はＨＴＴＰ呼を開始することができ、応答ヘッダは加入者識別情報を含むことができる。代替態様では、加入者ＩＤ決定器はワイヤレスデバイスなどから得られる。さらに、加入者ＩＤ／証明決定器７３０は、適切な証明、たとえば、ユーザＩＤを入力するようにユーザを促すことによって加入者／ユーザ証明を決定するように構成できる。入力に基づいて、ユーザ証明を加入者識別情報と比較し、マッチを決定した場合、マッチを確認する報告をＷＭＳ３００に通信し、加入者／ユーザに関連するデジタルロッカー３０４中にレコードを作成することができる。その後、加入者ＩＤおよび加入者証明は、ＷＭＣ７０４からメッセージルータ５００に通信されるすべてのメッセージ中に含まれる。
【０１１８】
前記のように、ワイヤレスデバイス上のウィジェット管理クライアント（ＷＭＣ）７０４と、関連するモバイルウィジェット１０２とを構成することに加えて、システムはユーザウィジェット管理ポータル８００を与える。ユーザウィジェット管理ポータル８００は、ユーザ１０４が、ワイヤレスデバイス７００上の（ＷＭＣ）を管理するために、ワイヤードＰＣまたは別のワイヤレスデバイスなど、別のデバイスを介して構成要素にアクセスできるようにする。ユーザウィジェット管理ポータル８００はウィジェット管理システム（ＷＭＳ）３００とネットワーク通信しており、ＷＭＳ３００はメッセージルータ５００を介してワイヤレスデバイス７００とワイヤレス通信している。図１６に示すように、一例では、ユーザウィジェット管理ポータル８００は、ワイヤレスデバイス上のウィジェットの管理へのリモートアクセスをユーザ１０４に与えることによってワイヤレスデバイス７００上のウィジェットウィザード７１８を補うものとして働く。ユーザウィジェット管理ポータル８００は、ＷＭＳ３００のデジタルロッカー３０４に記憶されたユーザのプロファイルからユーザの現在のＷＭＣ７０４またはウィジェット１０２構成に関係する情報を受信するように動作可能である。したがって、ユーザウィジェット管理ポータル８００は、一般にＷＭＣ７０４全体に適用する設定を再構成する能力をユーザ１０４に与えるように動作可能なＷＭＣ構成モジュール８１０を含むことができる。さらに、ユーザウィジェット管理ポータル８００は、ワイヤレスデバイス７００上に現在記憶されているウィジェット１０２を再構成する能力をユーザ１０４に与えるように動作可能な１つまたは複数のウィジェット構成モジュール８２０を含むことができる。
【０１１９】
ＷＭＣおよびウィジェット構成８２０に加えて、ユーザウィジェット管理ポータル８００は、ユーザが新しいウィジェットについて知り、および／またはそれを獲得することを可能にすることができる。したがって、ユーザウィジェット管理ポータル８００は、ウィジェット管理システム３００から通信されるウィジェットカタログ３０２を含むことができる。さらに、ユーザ１０４に関係のあるウィジェットがカタログの冒頭付近に掲示されるか、または他の方法で強調されるように、ウィジェットカタログ３０２をユーザ１０４のために個人化することができる。ＷＭＳ３００は、ワイヤレスデバイス７００から通信されるウィジェット使用追跡／計測データに基づいて当該のウィジェットを識別することができる。ユーザが新しいウィジェットを選択し、獲得あるいは購買すると、ユーザ管理ポータル８００はその選択をＷＭＳ３００に通信し、ＷＭＳ３００は、その後、対応するコンテンツアクセスサーバ９００（図１７）からウィジェットを再試行し、メッセージルータ５００を介してウィジェットをワイヤレスデバイスに通信する。
【０１２０】
コンテンツアクセスサーバ／コンテンツ広告追跡構成要素
図１７を参照すると、コンテンツアクセスサーバ９００を強調する詳細ブロック図が示されている。コンテンツアクセスサーバ９００は、ウィジェットの所定の更新スケジュールに基づいてコンテンツをモバイルウィジェット１０２に供給するように動作可能である。前述のように、更新スケジュールは、１つまたは複数のコンテンツ配信属性、ネットワーク属性および／またはユーザ構成設定に基づいて論理的に決定できる。モバイルウィジェット１０２は、更新スケジュールに基づいて、メッセージルータ５００を介してコンテンツアクセスサーバ９００によってワイヤレスに受信されるコンテンツ要求９０４を開始する。コンテンツアクセスサーバ９００は、コンテンツプロバイダ９０２、または広告ソースと通信している広告サービングプラットフォーム１０００から現在のコンテンツを取り出すことによって要求９０４に基づいて動作する。コンテンツ更新を取り出した後、対応するウィジェット上に提示するために更新をワイヤレスデバイスに通信する。たとえば、モバイルウィジェットがスポーツイベントスコア報告ウィジェットである場合、要求をコンテンツアクセスサーバに送信し、コンテンツアクセスサーバは、コンテンツプロバイダ９０２から、ウェブベースのスポーツニュースサイトなど、更新されたスポーツイベントスコアの形態のコンテンツ更新を取り出すことができる。一態様では、コンテンツアクセスサーバ９００は、／ｚｉｐファイルまたは何らかの他のスペクトル効率のよい圧縮機構などのコンテンツ更新パッケージに更新をバンドルするように動作可能なコンテンツパッケージバンドラ９１０を含むことができる。コンテンツ更新をパッケージにバンドルすることは、より効率的にワイヤレスデバイスに配信できる、より小さいメッセージを与える。コンテンツ更新は、ワイヤレスデバイスにおいて利用可能な接続に応じて様々な接続上でワイヤレスデバイスに通信できる。接続の例には、限定はしないが、ＨＴＴＰソケット、ＩＰソケット、ＳＭＳなどがある。
【０１２１】
コンテンツ更新を与えることに加えて、コンテンツアクセスサーバ９００は、ＷＭＣ７０４から通信される計測／追跡データの受信ポイントとして働くことができる。いくつかの態様では、コンテンツ更新要求９０４は、ウィジェット使用データ７４２またはウィジェット使用報告７４８などの計測／追跡データを含むことができる。そのような態様では、コンテンツアクセスサーバ９００は、要求からのウィジェット使用データ７４２またはウィジェット使用報告７４８をパースし、計測／追跡データをコンテンツプロバイダ９０２または広告サービングプラットフォーム１０００にルーティングするように動作可能な計測／追跡構成要素１１００を含む。さらに、コンテンツアクセスサーバは、計測／追跡データを受信し、使用パターンなどを論理的に決定するように動作可能な分析構成要素１２００を含むバックエンドシステム１０１に計測／追跡データを通信することができる。その後、分析データを通信し、その分析データを使用して、報告構成要素１３００が所定の報告を生成し、ビリング構成要素１４００がウィジェット使用レートに基づくウィジェットビリングなどのウィジェットビルを生成する。
【０１２２】
前記のように、ワイヤレスデバイス７００上に記憶され、提示される１つまたは複数のウィジェットは、ウィジェット形態で広告を表示するように動作可能な広告ウィジェットを含むことができる。いくつかの態様では、広告ウィジェットは、他の非広告ウィジェットのコストの低減など、何らかの形態の補償の代わりに広告ウィジェットを容認することを選択するオプションをユーザに提供するオプトインフィーチャとしてウィジェット事業者によって与えられる。したがって、ウィジェットプロバイダは、広告主と連携して広告ウィジェットを「ロックされた」ウィジェットとして構成することができ、ユーザが、ワイヤレスデバイス上のウィジェットを再構成するか、あるいはウィジェットを非活動化することができないことを意味する。図１４は、ウィジェット広告１０１０、より詳細には、そのような広告中に含まれる広告メタデータ１０１２の例のブロック図である。メタデータ１０１２は、広告を識別するのに役立つＩＤ番号などの広告識別子１０１４と、ＩＰアドレスなど、広告のソースを識別するのに役立つリソースロケーション識別子１０１６とを含むことができる。メタデータ１０１２は、クリックツーブラウズ機能など、広告とのユーザ対話を定義するのに役立つ関連対話１０１８、および／またはクリックツーブラウズ以外のユーザ対話のＵＲＬロケーションを定義するランディングロケーション１０２０をさらに含むことができる。他の態様では、メタデータ１０１２は、ワイヤレスデバイス上の広告の有効期限を定義する、広告のＴＴＬ（Ｔｉｍｅ  ｔｏ  Ｌｉｖｅ）１０２２と、広告をワイヤレスデバイス上に表示すべき特定の時間および／または頻度を定義する時間／頻度表示メトリクス１０２４とを含むことができる。さらに、メタデータ１１０２は、広告の表示に関係する他のコンテキストパラメータを定義するコンテキスト表示メトリクス１０２６と、ワイヤレスデバイスにおいて収集し、その後ネットワークに通信すべき、表示の時間／頻度、広告とのユーザ対話の頻度、クリックスルーの深さなど、広告の表示に関するメトリクスを定義するワイヤレスデバイスメトリック収集命令１０２８とを含むことができる。メタデータ１０１２は、広告１０１０、ウィジェット上での広告の表示、または報告機能に関係する、他のメタデータ１０１２をさらに含むことができる。
【０１２３】
図１５のブロック図に示すように、広告１０１０は、広告サービス構成要素／プラットフォーム１０００などの広告ソースを介してワイヤレスデバイス７００上の広告ウィジェット１０２−１にワイヤレスに通信される。広告サービングプラットフォーム１０００は、広告１０１０が広告サービングプラットフォーム１０００からコンテンツアクセスサーバ９００を介してワイヤレスデバイス７００に通信されるように、コンテンツアクセスサーバ９００と通信している。さらに、メッセージルータ５００は、コンテンツアクセスサーバ９００と通信しており、広告および関連情報が、統一通信プロトコルを使用してワイヤレスネットワーク１０６を介してワイヤレスデバイスとの間で通信されること保証するのに役立つ。広告サービングプラットフォームは、広告１１１０のインベントリを記憶する広告データベース１０４０と通信している。したがって、広告サービングプラットフォームは、データベース１０２０から広告１１１０を取り出し、その広告をワイヤレスデバイス上の広告ウィジェット１０２−１に通信するように動作可能である。
【０１２４】
さらに、上述のコンテンツ更新要求と同様に、ワイヤレスデバイスは、ワイヤレスデバイス上に広告を提示するための広告の配信を要求するように動作可能な広告要求１０４０を発行することができる。広告要求は、広告データベース１０４０から広告を取得する広告サービングプラットフォーム１０００によって受信される。広告要求は、広告サービングプラットフォーム１０００によって発行される、ＷＭＣ７０４を識別する識別子を含むことができる。要求は、最近提示された広告と、ＴＴＬ中の提示の数とを識別する計測／追跡報告をさらに含むことができる。
【０１２５】
さらに、広告サービングプラットフォーム１０００は、広告キャンペーン基準に基づいて広告を広告ウィジェットに通信することによって、広告主の広告キャンペーンを管理するように動作可能な広告キャンペーンマネージャ１０５０をさらに備えることができる。広告キャンペーン基準は、広告キャンペーンに関係する有効期限および表示頻度レートを有するいくつかの広告がワイヤレスデバイスにプッシュされることを規定することができる。他の態様では、広告キャンペーンは、いくつかの広告が、ターゲットオーディエンス範囲内にあるユーザおよび／またはワイヤレスデバイスをターゲットにするように、ユーザまたはいくつかのワイヤレスデバイスに関係するいくつかの人口統計学的情報をターゲットにすることができる。人口統計学的情報は、限定はしないが、ユーザの性別、ユーザの興味、ユーザの収入、ユーザの年齢、ユーザの住所、現在使用されているワイヤレスデバイスロケーションなどを含むことができる。
【０１２６】
広告サービングプラットフォーム１０００は、ユーザ広告ウィジェット上での広告の表示に関係する情報を追跡し、計測する追跡／計測構成要素１０６０をさらに含むことができる。追跡／計測構成要素１１００は、広告１０１０および広告ウィジェット１０２−１に特に関係するそれらの計測および追跡データをパースし、広告に関連する計測および追跡情報を広告サービングプラットフォーム１０００の追跡／計測構成要素１０６０に通信することができる。ＷＭＣ７０４から通信される追跡／計測データは、広告識別子、広告ウィジェット上での提示／表示の数、ユーザ対話の深さ（たとえばクリックスルーの数）、広告のユーザ対話／閲覧の経過時間など含むことができる。
【０１２７】
広告サービングプラットフォーム１０００は、広告主１００４とネットワーク／ウィジェット事業者１１０との間で広告入札取引市場が行われるように動作可能な広告入札取引所サーバ１００２とさらに通信することができる。入札取引市場は、広告主１００４が、ウィジェットウォール上の広告の位置／配置、提示の頻度、提示の時間、ターゲットオーディエンスの人口統計などの１つまたは複数の広告基準に基づいて、ウィジェット広告に入札することを可能にすることができる。さらに、入札取引市場は、広告主が、ウィジェット中の広告のブロードキャスト提示および／またはマルチキャスト提示に基づいて入札することを可能にすることができる。一態様では、入札取引市場は、広告主または潜在的な広告主がウィジェットベースの広告に入札することを可能にするインターネットベースの市場などの公開されている市場である。
【０１２８】
バックエンドシステム
図１を再び参照すると、前記のように、いくつかの態様では、システム１００は、システム１００内の追跡されたデータおよびトランザクションを分析するためのバックエンドシステム１０１を有することができる。バックエンドシステム１０１は、分析構成要素１２００、報告構成要素１３００、およびビリング構成要素１４００のうちの１つまたは任意の組合せを含むことができる。
【０１２９】
分析構成要素１２００は、システム１００のデータを受信し、考察する。
【０１３０】
報告構成要素１３００は、分析構成要素１２００の分析の結果に基づいて、事業者／キャリアプロプライエタリ情報１３０２を含む報告を生成する。
【０１３１】
ビリング構成要素１４００は、システム１００中の取引の決算をし、１つまたは複数のエンドユーザ１０４、開発者／プロバイダ１０８、事業者／キャリア１１０、または広告主９０８に借記および／または貸記する。
【０１３２】
例示的なコールフロー
図１８〜図２３を参照すると、いくつかの態様による、様々なシナリオのための呼またはメッセージフローのいくつかの非限定的な例が掲示されている。図１８を参照すると、たとえば一態様では、ハイレベルコールフローは、ウィジェット管理ポータル（ＷＭＰ）から発信された、新しいモバイルウィジェットの選択および構成に関する。特に、ＷＭＰは、モバイルウィジェットを選択し、構成するためにＷＭＳと対話する。ＷＭＳは、モバイルウィジェットのコンテンツを取得するためにＣＡＳと対話する。さらに、ＷＭＳは、メッセージルータを介してモバイルウィジェットおよび／またはモバイルウィジェットのコンテンツ更新をＷＭＣにフォワーディングする。
【０１３３】
図１９を参照すると、たとえば一態様では、ハイレベルコールフローは、ＷＭＣから発信された、モバイルウィジェットの構成および更新に関する。特に、ＷＭＣは、モバイルウィジェットを選択し、構成するためにＷＭＳと対話する。ＷＭＳは、モバイルウィジェットのコンテンツを取得するためにＣＡＳと対話する。さらに、ＷＭＣは、ＣＡＳにモバイルウィジェットのコンテンツ更新を要求することができ、ＣＡＳは、更新されたコンテンツで応答し、ＷＭＣは、その受信を確認する。
【０１３４】
図２０を参照すると、たとえば一態様では、ハイレベルコールフローは、事業者／キャリアがアクセスを許可する、ＷＭＳ中のウェブストアフロントにアクセスするＷＭＣに関する。特に、ＷＭＣは、ＷＭＳにストアフロントへのアクセスを要求し、ＷＭＳは、ＷＭＣがそのようなアクセスを許可されることを事業者／キャリアとともに検証する。たとえば、検証は、ＷＭＣが許可されるかどうかを決定するために、ＷＭＣまたはエンドユーザに関連する識別子または証明を、事業者／キャリアのコンテンツ管理サーバまたは許可サーバに渡すことを含むことができる。許可を受信すると、ＷＭＳは、ＷＭＣにストアフロントへのアクセスを与えることが可能になり、モバイルウィジェットのダウンロードのための後続の対話を可能にする。
【０１３５】
図２１を参照すると、たとえば一態様では、ハイレベルコールフローは、ＷＭＣによって要求されるコンテンツ更新に関する。特に、コンテンツ更新イベントの発生に基づいて、ＷＭＣは、メッセージルータを介してコンテンツ更新要求をＣＡＳに送信する。ＣＡＳは、対応するコンテンツ更新をバンドルし、それをメッセージルータを介してＷＭＣに送信する。一態様では、コンテンツ更新要求はユーザによって開始されることに留意されたい。さらに、ＷＭＣが、コンテンツ更新要求とともに計測／追跡データをパッケージングすることができることにも留意されたい。この場合、ＣＡＳは、計測／追跡データを、バックエンドシステムの分析構成要素および／または広告サービングプラットフォームなど、他のインフラストラクチャ要素にルーティングするように動作可能である。
【０１３６】
図２２を参照すると、たとえば一態様では、ハイレベルコールフローは、ウィジェット計測／追跡データの報告と、報告された計測／追跡データに基づくウィジェット更新スケジュールの対応する調整とに関する。特に、ＷＭＣは、計測／追跡データを含むウィジェットメッセージをメッセージルータを介してＣＡＳに送信する。ＣＡＳは、この場合、計測／追跡データを、分析および報告構成要素などの他のインフラストラクチャ要素にルーティングするように動作可能である。分析および報告構成要素は、次いで、報告された計測／追跡データに基づいて使用データを決定し、使用データは、コンテンツ更新スケジュールを決定する際に使用するための入力としてＷＭＳおよび／またはＵＷＭに与えられる。使用データに基づいて、１つまたは複数のユーザ、および／または１つまたは複数のモバイルウィジェットのための新しい更新スケジュールを決定する。新しい更新スケジュールは、ＷＭＳおよび／またはＵＷＭにおいて記憶され、さらに、メッセージルータを介してＷＭＣに通信される。したがって、新しい更新スケジュールは、ＷＭＣによって与えられた、報告された計測／追跡データの分析に基づいて実施される。
【０１３７】
図２３を参照すると、たとえば一態様では、ハイレベルコールフローは、ＷＭＣにコンテンツ更新を与えるＣＡＳに関する。特に、ＣＡＳはコンテンツ要求をコンテンツプロバイダに送信し、コンテンツプロバイダはコンテンツドキュメントで応答する。コンテンツドキュメントは、様々な更新されたコンテンツ、ならびにさらなるコンテンツ更新のためのリソースへの参照を含むことができる。ＣＡＳは、コンテンツドキュメントをパースし、必要な場合、コンテンツプロバイダに追加のリソースを要求する。要求されたリソースを受信すると、ＣＡＳは、コンテンツドキュメントからのリソースおよび他のコンテンツを、ＷＭＣに配信するための更新パッケージに変換する。変換を完了すると、ＣＡＳは、コンテンツ更新パケットをメッセージルータを介してＷＭＣにフォワーディングする。
【０１３８】
ウィジェットメモリ管理
一態様では、ウィジェット展開に基づいてワイヤレスデバイス中のメモリ管理を最適化する方法、システム、および装置が提供される。一態様では、ワイヤレスデバイスは、低メモリ状態が存在するという指示を与えるとき、１つまたは複数のウィジェットの「低メモリ」バージョンを実行することができる。「低メモリ」バージョンウィジェットは、標準ウィジェットの縮小バージョンであり、実行するのにそれほど多くのメモリを必要とせず、それによってワイヤレスデバイス上のメモリを節約し、ほとんどの場合、デバイスが低メモリ状態にある間、ユーザによって実装されているウィジェットの、全部ではないとしても、一部が活動状態のままであることを保証する。
【０１３９】
標準ウィジェットでは、ウィジェットは、画像、オーディオ、マルチメディアなどの様々なリソースで構成できる。さらに、標準ウィジェットは、ユーザがより詳細なコンテンツを閲覧するように動作可能な複数の深さ（たとえば、ウィジェットの圧縮モードビューである第１のレベル、たとえば、記事のリストである第２のレベル、署名をもつ個々の記事である第３のレベル、およびＷＡＰ／ＨＴＭＬ／ＸＨＴＭＬをサポートする記事である第４のレベルなどのユーザクリックスルー）を与えるように構成できる。ウィジェットの「低メモリ」バージョンでは、これらのリソースは省略またはさもなければデグレードされることがある。たとえば、標準ウィジェットは、オーディオ用のＭＰ３ファイル、画像用のＧＩＦファイル、およびビデオ用のＭＰＥＧ４を採用することができ、それらのすべてはメモリ集約的なファイルであるが、「低メモリ」バージョンは、オーディオ用のＡＡＣファイル、画像用のＪＰＥＧファイル、およびビデオ用のＨ．２６４ファイルを使用することができ、それらのすべては、それらのそれぞれの標準バージョンウィジェットの相対物よりもメモリ消費が少なくて済む。さらに、標準バージョンウィジェットは、ハイパーリンクされたリソースなどを含むことができる通常または標準コンテンツフィードを可能にするが、「低メモリ」バージョンは、通常または標準コンテンツフィード中に含まれているハイパーリンクされたリソースなどの１つまたは複数の所定のリソースを含まない簡略コンテンツフィードのみをサポートすることができる。ウィジェット深さに関して、標準バージョンは、ＷＡＰ記事などを含む、３つ以上の深さのコンテンツを与えることができるが、「低メモリ」バージョンは、第１の深さからウェブブラウザへの遷移をもつ１つの深さに制限される。さらに、標準バージョンが（以下で詳細に説明する）ウィジェットの圧縮モードビューを含む例では、ビューは、見出しなどに加えてウィジェットのためのブランド化画像を含むことができるが、「低メモリ」バージョン圧縮モードビューは、１つまたは２つのワードテキスト記述子に制限される。
【０１４０】
図２４は、標準動作モードウィジェット１０１と、対応する低メモリモードウィジェット１０３の両方を実装するワイヤレスデバイス７００のブロック図である。前述のワイヤレスデバイスと同様に、ワイヤレスデバイス７００は、メモリ７０６と通信しているプロセッサ７０８と、通信モジュール７０９と、ユーザインターフェース７０２とを含む。メモリ７０６は、標準動作モードモバイルウィジェット１０１を含み、対応する低メモリモード動作ウィジェット１０３を含むことができる、１つまたは複数のモバイルウィジェットクライアント１０２を含む。標準動作モードウィジェット１０１のすべてが、対応する低メモリモードウィジェット１０３を有する必要があるわけではないことに留意されたい。ワイヤレスデバイスが低メモリ状態に入ったとき、優先順位をもつ標準動作モードウィジェット１０１が標準動作モードのままであることが可能であるように、いくつかの標準動作モードウィジェット１０１は優先順位を与えられる。他の態様では、第１の低メモリしきい値に達した場合、最低優先順位標準動作モードウィジェットが対応する低メモリモードウィジェットに変更され、第２の低メモリしきい値に達した場合、第２の最低優先順位標準動作モードウィジェットが対応する低メモリモードウィジェットに変更され、以下同様となるように、標準動作モードウィジェットのすべては低メモリ優先順位順序で分類できる。
【０１４１】
図２４に示すように、一態様では、低メモリモードウィジェット１０３を、ワイヤレスデバイス上で最初に構成されたモバイルウィジェットクライアント１０２内に含めることができる。クライアント１０２が低メモリモードウィジェット１０３を含まない他の態様では、低メモリモードウィジェット１０３は、低メモリ状態が検出されるとサービングネットワークからワイヤレスデバイスにプッシュされることがある。そのような態様では、対応する標準動作モードウィジェットが再インストールされるように、デバイスが低メモリ状態ではないと決定されると、ワイヤレスデバイスメモリから低メモリモードウィジェット１０３が削除されるようにすることも可能である。
【０１４２】
さらに、メモリ７０６は、ワイヤレスデバイス上でのウィジェットの実装を管理するように動作可能なウィジェット管理クライアント（ＷＭＣ）７０４を含む。一態様では、ＷＭＣ７０４は、ワイヤレスデバイス上で利用可能なメモリの状態を監視するように動作可能なメモリ状態モニタ７５０と、メモリしきい値が満たされたかまたは超えられたことに基づいて、ウィジェットのモードを標準動作モードから低メモリモードに、またはその逆に変更するように動作可能なウィジェットモードチェンジャ７６０とを含むことができる。メモリ状態モニタ７５０は、１つまたは複数の低メモリしきい値７５２と、１つまたは複数の標準メモリしきい値７５４とを含むことができる。低メモリしきい値７５２が満たされたかまたは超えられた場合、ウィジェットモードチェンジャ７６０は、しきい値に関連するウィジェットのモードを標準動作モードウィジェット１０１から対応する低メモリモードウィジェット１０３に変更する。単一の低メモリしきい値によりウィジェットのすべてが低メモリモード動作に移動するわけではない例では、さらなる低メモリしきい値７５２が満たされるにつれて、さらなるウィジェットが低メモリ動作モードに移動されるように、ワイヤレスデバイスがより低いメモリ可用度を経験し続ける場合、さらなる低いしきい値７５２が必要になる。
【０１４３】
低メモリ状態になると、デバイスがメモリを解放し始めるか、またはより多くのメモリがさもなければ利用可能になるので、標準メモリしきい値７５４が満たされたかまたは超えられ、その結果、標準メモリしきい値７５４に関連するウィジェットが、低メモリモードウィジェット１０３から標準動作モードウィジェット１０１に移動することになる。単一の標準メモリしきい値７５４によりウィジェットのすべてが標準メモリモード動作に戻るわけではない例では、さらなるウィジェットが低メモリモードウィジェット１０３から標準動作モードウィジェット１０１に移動されるように、ワイヤレスデバイスが利用可能なメモリを解放し続けるように、さらなる標準メモリしきい値７５４が必要となる。標準メモリしきい値７５４は、低メモリしきい値７５２に加えて、動作モードが行き来しないことを保証する必要があることに留意されたい。
【０１４４】
さらに、ウィジェットモードチェンジャ７６０は、通信モジュール７０９を介してサービングネットワークに通信されるモード変更通知を生成するように動作可能なサービングネットワーク通知生成器７６２を含むことができる。モード変更通知は、サービングネットワークにモード変更について通知することを提供するので、コンテンツフィード構成など、ネットワークによって影響を受けるモード変更は、その変更に基づいて実装される。モード変更通知の受信に応答して、ウィジェット管理システム（ＷＭＳ）３００は、ユーザ１０４／ワイヤレスデバイス７００に関連するモード変更をデジタルロッカー３０４に二重に記録する。
【０１４５】
図２５を参照すると、ワイヤレスデバイス上で低メモリモードウィジェットを実装するための方法の流れ図が示されている。イベント２０００において、メモリ可用度を監視し、イベント２００２において、所定の低メモリしきい値が満たされたかまたは超えられたかどうかに関する決定を行う。たとえば、所定の低メモリしきい値は、メモリのウィジェット消費が、ウィジェットを非機能的にしないか、またはさもなければすべての利用可能なメモリスペースを使い尽くさないことを保証するように設定される。所定の低メモリしきい値は、ワイヤレスデバイス上で実行しているウィジェットの１つまたは複数に、いくつかの態様ではウィジェットのすべてに関連することがあるので、所定の低メモリしきい値を満たすかまたは超えることにより、ウィジェット管理クライアントは、標準動作モードウィジェットから対応する低メモリモードウィジェットに変更することになる。イベント２００２において、低メモリしきい値が満たされないかまたは超えられないと決定された場合、本方法は、メモリ可用度の監視を継続するためにイベント２０００に戻る。
【０１４６】
イベント２００２において、低メモリしきい値が満たされたかまたは超えられたと決定された場合、イベント２００４において、低メモリしきい値に関連する対応する（１つまたは複数の）低メモリモードウィジェットがワイヤレスデバイス上に記憶されているかどうかに関する決定を行う。前記のように、いくつかの態様では、低メモリモードウィジェットは、標準動作モードウィジェットの初期獲得／記憶に関連して最初に記憶される。他の態様では、低メモリモードウィジェットは、低メモリしきい値が満たされたかまたは超えられたかについての通知時にサービングネットワークからプッシュされる。したがって、低メモリしきい値に関連する低メモリモードウィジェットのすべてがワイヤレスデバイス上に記憶されている場合、イベント２００６において、低メモリモードウィジェットを取り出し、活動化し、標準動作モードウィジェットを非活動化する。イベント２００８において、ウィジェット管理サーバなどのサービングネットワークにウィジェット動作モードの変更について通知するために、通知を生成し、サービングネットワークに送信する。コンテンツフィード／更新などへの変更など、動作モード変更へのネットワークレベル変更を実装することができるように、サービングネットワークに通知する。
【０１４７】
イベント２００４において、ワイヤレスデバイス上に記憶されていない、低メモリしきい値に関連する低メモリモードウィジェットの１つまたは複数があると決定された場合、イベント２０１０において、サービングネットワークにウィジェット動作モードの変更について通知するために、また、ワイヤレスデバイス上に現在記憶されていない１つまたは複数の低メモリモードウィジェットの配信を要求するために、通知を生成し、ウィジェット管理サーバなどのサービングネットワークに通信する。また、ウィジェット管理システムは、要求された低メモリモードウィジェットを取り出すために、ユニファイドウィジェットマネージャと通信し、その後、ワイヤレスデバイス上の（１つまたは複数の）低メモリモードウィジェットを通信することができる。イベント２０１２において、（１つまたは複数の）低メモリモードウィジェットをサービングネットワークから受信し、ローカルメモリに記憶する。イベント２０１４において、低メモリモードウィジェットを取り出し、活動化し、標準動作モードウィジェットを非活動化する。
【０１４８】
低メモリモードウィジェットを活動化し、サービングネットワークに動作モード変更について通知すると、イベント２０１６において、メモリ可用度を監視する。イベント２０１８において、所定の標準動作メモリしきい値が満たされたかまたは超えられたかどうかに関する決定を行う。メモリ可用度が所定の低メモリしきい値の近くで変動する例では、システムが動作モード間を行き来しないように、所定の標準動作メモリしきい値は所定の低メモリしきい値とは異なることがある。イベント２０１８において、標準メモリしきい値が満たされないかまたは超えられないと決定された場合、本方法は、メモリ可用度の監視を継続するためにイベント２０１６に戻る。
【０１４９】
イベント２０１８において、標準メモリしきい値が満たされたかまたは超えられたと決定された場合、イベント２０２０において、（１つまたは複数の）標準メモリモードウィジェットをメモリから取り出し、活動化し、低動作モードウィジェットを非活動化する。イベント２０２２において、通知を生成し、サービングネットワークに通信し、（１つまたは複数の）ウィジェットの動作モードを（１つまたは複数の）低メモリモードウィジェットから（１つまたは複数の）標準動作モードウィジェットに変更したことをそのサービングネットワークに通知する。低メモリ動作モードから標準動作モードへのネットワークレベルの変更を実装することができるように、サービングネットワークに通知する。サービングネットワークに通知した後、プロセスは、利用可能なメモリ状態をさらに監視するためにイベント２０００に戻る。
【０１５０】
図２６を参照すると、ワイヤレス通信デバイスにおける動作モードを変更するシステム２００１が示されている。システム２００１は、たとえば、マルチプレクサ、送信機、モバイルデバイスなどの中に常駐することができる。図示のように、システム２００１は、プロセッサ、ソフトウェア、またはそれらの組合せ（たとえば、ファームウェア）によって実装される機能を表すことができる機能ブロックを含む。システム２００１は、ワイヤレス通信デバイスにおける動作モードを変更することを可能にする電気構成要素の論理グルーピング２００３を含む。論理グルーピング２００３は、モバイルウィジェットクライアントを標準動作モードで活動化するための手段２００５を含むことができる。その上、論理グルーピング２００３は、ワイヤレス通信デバイス上のメモリ可用度を決定するための手段２００７を含むことができる。さらに、論理グルーピング２００３は、メモリ可用度の決定に基づいて標準動作モードを非活動化するための手段２００９を含むことができる。さらに、論理グルーピング２００３は、標準動作モードの非活動化に応答してモバイルウィジェットクライアントの低メモリ動作モードを活動化するための手段２０１１を含むことができる。さらに、システム２００１は、電気構成要素２００５、２００７、２００９、および２０１１に関連する機能を実行するための命令を保持するメモリ２０１３を含むことができる。メモリ２０１３の外部にあるものとして図示されているが、電気構成要素２００５、２００７、２００９、および２０１１はメモリ２０１３の内部に存在することができることを理解されたい。
【０１５１】
次に図２７を参照すると、動作モード変更に基づいてウィジェットへのコンテンツフィードを変更するシステム２０１５が示されている。システム２０１５は、たとえば、マルチプレクサ、送信機、モバイルデバイスなどの中に常駐することができる。図示のように、システム２０１５は、プロセッサ、ソフトウェア、またはそれらの組合せ（たとえば、ファームウェア）によって実装される機能を表すことができる機能ブロックを含む。システム２０１５は、動作モード変更に基づいてウィジェットへのコンテンツフィードを変更することを可能にする電気構成要素の論理グルーピング２０１７を含む。論理グルーピング２０１７は、デバイス上で実行される１つまたは複数のウィジェットが、ワイヤレスデバイス上のメモリ可用度に基づいて動作モードを変更していることを示す通知を、デバイスから受信するための手段２０１９を含むことができる。その上、論理グルーピング２０１７は、動作モードの変更の指示をネットワークメモリに記憶するための手段２０２１を含むことができる。さらに、論理グルーピング２０１７は、通知に基づいて、１つまたは複数のウィジェットに与えられるコンテンツフィードを変更するための手段２０２３を含むことができる。さらに、システム２０１５は、電気構成要素２０１９、２０２１、および２０２３に関連する機能を実行するための命令を保持するメモリ２０２５を含むことができる。メモリ２０２５の外部にあるものとして図示されているが、電気構成要素２０１９、２０２１、および２０２３はメモリ２０２５の内部に存在することができることを理解されたい。
【０１５２】
ランタイムメモリ管理
他の態様によれば、メモリのランタイム管理を改善するためのシステム、方法、および装置が提供される。この点について、これらの態様に関連するシステム、方法、および装置は、ウィジェット使用時間パターン、ウィジェット使用頻度、ウィジェットウォールナビゲーションパターンなどのウィジェット選好に基づいて、ウィジェットをランダムアクセスメモリ（ＲＡＭ）などのランタイムメモリにロードすることを提供する。ウィジェット選好に基づいて、自動ロードとは反対に、ユーザ対話時にウィジェットをロードすること、前のナビゲーションパターンに基づいてユーザのウィジェットウォールを構成すること、前の使用パターン基づいて、メモリにロードされるウィジェットの深さを調整することなど、ランタイムメモリ管理に影響を及ぼす事前指定された適応アクションが行われる。
【０１５３】
図２８を参照すると、本発明の態様による、ランタイムメモリ管理を実行するように構成されたワイヤレスデバイス７００のブロック図が示されている。前述のワイヤレスデバイスと同様に、ワイヤレスデバイス７００は、メモリ７０６と通信しているプロセッサ７０８と、通信モジュール７０９と、ユーザインターフェース７０２とを含む。ワイヤレスデバイス７００のメモリ７０６は、標準モードウィジェット１０１と対応する圧縮モードウィジェット１０５とを含む１つまたは複数のモバイルウィジェットクライアント１０２を含む。圧縮モードウィジェット１０５は、圧縮モードウィジェット１０５がコンテンツ更新がないように最小に構成されるという点で、前述の低メモリモードウィジェット１０３（図２４）とは異なる。ランタイムメモリ管理に関係する態様に関して論じられるように、ユーザが圧縮モードウィジェット１０５と対話して標準モードウィジェット１０１を活動化するまで、圧縮モードウィジェット１０５はユーザインターフェース７０２において提示され／表示される。したがって、圧縮モードウィジェット１０５は、ロゴなどのブランド化画像、および見出しなどの最小の時間的情報に制限されることがある。他の実施態様では、圧縮モードウィジェット１０５が対応する低メモリモードウィジェットを有するときなど、低メモリモードウィジェットおよび圧縮モードウィジェットは、ウィジェットのタイトルまたは性質を識別する１つ／２つのワードテキスト記述子に制限されることがある。
【０１５４】
ワイヤレスデバイス７００のメモリ７０６は、ワイヤレスデバイス上のウィジェットの選択および動作を管理するように動作可能なウィジェット管理クライアント（ＷＭＣ）７０４をさらに含むことができる。したがって、ＷＭＣ７０４は、それぞれがそれぞれのウィジェット１０２を管理するように構成された１つまたは複数のウィジェットマネージャ７１０を含むことができる。ウィジェットマネージャ７１０は、ウィジェット使用データを収集、記憶、および報告するように動作可能なウィジェット使用データレポータ７１４を含むことができる。一態様では、ウィジェット使用データレポータは、ランタイムメモリを管理するために使用されるウィジェット使用データを収集するように動作可能である。このウィジェット使用データは、限定はしないが、ウィジェット使用時間および頻度データ７７０と、ウィジェットウォールナビゲーションパターンデータ７７２と、ウィジェット深さ使用データ７７４と、ランタイムメモリを管理するために必要となる任意の他のウィジェット使用データ７７６とを含むことができる。ウィジェット使用時間および頻度データ７７０は、ユーザがウィジェットを閲覧する、および／またはウィジェットと対話する時間または時間期間と、閲覧および／または対話の頻度とを与えることができる。ウィジェットウォールナビゲーションパターンデータ７７２は、ウィジェットの提示に関連するウィジェットウォールをナビゲートするためのユーザの選好パターンを与えることができる。言い換えれば、ウィジェットマネージャ７１０に関連したウィジェットにナビゲートするためにユーザが実装するウィジェットウォール内のパターンに関係するデータである。ウィジェット深さ使用データ７７４は、ウィジェットがユーザによってアクセスされる深さに関係するデータを与えることができる。
【０１５５】
ＷＭＣ７０４は、ウィジェット使用データレポータ７１４によって与えられるウィジェット使用データに基づいて、ウィジェット状態、ウィジェットウォール状態、ウィジェット深さ状態、またはウィジェットへの変更に関係する他の状態を変更するように動作可能なウィジェットアダプタ論理７８０をさらに含むことができる。図示のように、ウィジェットアダプタ論理７８０は、ワイヤレスデバイス中に常駐し、ワイヤレスデバイス上で実行されるが、他の態様では、ウィジェットアダプタ論理は、ＷＭＳ３００などのサービングネットワークにおいて常駐し、実行される。そのような態様では、ウィジェット使用データが収集され、サービングネットワークに通信され、サービングネットワークは、次いで、そのウィジェット使用データを利用して、ウィジェット、ウィジェット深さ、ウィジェットウォールなどへの適応状態変更を決定し、当該のウィジェットに関係する構成設定に記憶するために適応状態変更をワイヤレスデバイスに戻す。
【０１５６】
一態様では、ウィジェットアダプタ論理７８０は、使用時間と使用頻度とのデータに基づいて、ウィジェットの状態を標準モードウィジェット１０１から圧縮モードウィジェット１０５に変更するように動作可能なウィジェット状態チェンジャ７８２を含むことができる。たとえば、使用データが、特定の株式相場表示機ウィジェットが概して株式市場がオープンしている時間中に平日にユーザによってアクセスされるのみであることを示す場合、ウィジェット状態チェンジャ７８２は、株式市場がオープンしている時間中には標準モードウィジェット１０１が活動化し、株式市場がクローズしている時間中には、圧縮モードウィジェット１０５に自動的に切り替えられると決定することができる。株式市場がクローズしている時間中に、圧縮モードウィジェット１０５がユーザによってアクセスされたか、またはさもなければ活動化された場合、論理は、ウィジェットが圧縮モードウィジェット１０５から標準モードウィジェット１０１に変更することを可能にする。
【０１５７】
別の態様では、ウィジェットアダプタ論理７８０は、示されたウィジェットウォールナビゲーションパターンに基づいて、ユーザのウィジェットウォール上に提示されたウィジェットの活動化状態を変更するように動作可能なウィジェットウォール状態変更器７８４を含むことができる。たとえば、図２９は、ウィジェットウォール７９０中のディスプレイウィンドウ７９２のブロック図を示す。図示のウィジェットウォールは、５つのディスプレイウィンドウ７９２−（０）、７９２−（１）、７９２−（２）、７９２−（＋１）および７９２−（＋２）を有する。各ディスプレイウィンドウは、ウィジェットＷ１〜Ｗ１０として示される１つまたは複数のウィジェットを表示する。陰影付きのウィジェットＷ２、Ｗ７およびＷ５によって示されるウィジェットは、ウィジェットウォール７９０のナビゲーション中にユーザがアクセスするか、またはさもなければ活動化する好適なウィジェットであるとして、ウィジェット使用データによって示されている。残りのウィジェットＷ１、Ｗ３、Ｗ４、Ｗ６〜Ｗ１０は、好適でないウィジェットであると示され、したがって、ユーザが、そのウィンドウを含む関連するウィンドウに動かし、ウィジェットがユーザによってアクセスされるか、またはさもなければ活動化されるまで、圧縮モードウィジェット１０５のままである。
【０１５８】
ＷＭＣ３００が起動されたとき、ディスプレイウィンドウ７９２−（０）が提示され、ウィジェットＷ２が標準モードウィジェット１０１としてロードされ、ウィジェットＷ１が圧縮モードウィジェット１０５としてロードされる。ウィジェットＷ１は、ウィジェットを圧縮モードウィジェット１０５から標準モードウィジェット１０１に変更するようにアクセスおよび／または活動化されることがある。さらに、次の利用可能なウィンドウ中でアクセス可能であるウィジェットＷ３およびＷ６は、これらが好適でないウィジェット（たとえば、ユーザが通常アクセス／活動化しないか、または現在の時間期間中に通常アクセス／活動化しないウィジェット）として示されるので、圧縮モードウィジェットとしてロードされる。
【０１５９】
ユーザがウィンドウ７９２−（＋１）に動かすことを選択したとき、ウィジェットＷ５が好適なウィジェットであり、ナビゲーションパターンが、ユーザが、Ｗ５にアクセスするためにそのウィンドウをウィンドウ７９２−（＋２）にさらに動かす傾向があることを示すので、ウィジェットＷ５は標準モードウィジェット１０１としてロードされる。ユーザがウィンドウ７９２−（＋２）に動かすことを選択したとき、ウィジェットＷ２は非活動化／アンロードされ、それは、標準モードウィジェット１０１が圧縮モードウィジェット１０５に変更されることを意味する。これは、ユーザが好適なウィジェットＷ２から少なくとも２つのウィンドウまたは２つのクリックだけ離れて動かしており、単一の動き／クリックによってウィンドウ７９２−（０）（すなわち、Ｗ２が常駐するウィンドウ）にもはや動かせないからである。ユーザがウィンドウ７９２−（＋２）からウィンドウ７９２−（＋１）に戻ることを選択したとき、ウィジェットＷ２は、ユーザが、ウィジェットＷ２を含むウィンドウ３００３−（０）中にあることから１つの動き／クリックだけ離れていることに基づいて、標準モードウィジェット１０２として再び再ロードされる。ユーザがウィンドウ７９２−（１）に動かすことを選択したとき、ウィジェットＷ５は非活動化／アンロードされ、それは、標準モードウィジェット１０１が圧縮モードウィジェット１０５に変更されることを意味する。
【０１６０】
ユーザがウィンドウ７９２−（１）に動かすことを選択したとき、ウィジェットＷ７が好適なウィジェットであり、ナビゲーションパターンが、ユーザが、Ｗ７にアクセスするためにそのウィンドウをウィンドウ７９２−（２）にさらに動かす傾向にあることを示すので、ウィジェットＷ７は標準モードウィジェットとしてロードされる。ユーザがウィンドウ７９２−（２）に動かすことを選択したとき、ウィジェットＷ２は非活動化／アンロードされ、それは、ウィンドウディスプレイが好適なウィジェットＷ２から少なくとも２つのウィンドウまたは２つのクリックだけ離れているので、標準モードウィジェット１０１が圧縮モードウィジェット１０５に変更されることを意味する。
【０１６１】
再び図２８を参照すると、ウィジェットアダプタ論理７８０は、示されたユーザ深さのナビゲーションパターンに基づいて、ウィジェット内の深さの活動化状態を変更するように動作可能なウィジェット深さ状態変更器７８６をさらに含むことができる。たとえば、ウィジェット深さ使用データ７７４が、ユーザが、３つの深さを有するウィジェットの第２の深さにクリックスルーするか、または動かすのみであることを示す場合、ウィジェットの最初の２つの深さは最初に標準モードウィジェット１０１からロードされ、ウィジェットの第３の深さは圧縮モードウィジェット１０５からロードされる。ユーザが第２の深さに動かすときなど、ユーザが深さによって動かすとき、第３の深さは、標準モードウィジェット１０１からロードされ、または、ユーザが第３の深さにめったにアクセスしないことを示す典型的な使用パターンに基づいて、ユーザが第３の深さに動かすまで、第３の深さは圧縮モード状態のままとなり得る。さらに、ウィジェットアダプタ論理７８０は、ウィジェット使用データに基づいてランタイムメモリを管理する手段として、ウィジェットの他の状態またはウィジェットに関係する機能を変更するように動作可能な他のウィジェットチェンジャ７８８を含むことができる。
【０１６２】
さらに、ＷＭＣ７０４は、ウィジェットの構成および獲得を管理するように動作可能なウィジェットウィザード７１８を含むことができる。ウィジェットウィザード７１８は、ウィジェット設定および構成を管理し、記憶するように動作可能なウィジェット管理７２０を含むことができる。したがって、ウィジェット状態への変更がウィジェットアダプタ論理７８０によって動的に決定されるとき、その変更は、決定された状態の変更によって影響を受ける１つまたは複数のウィジェットの構成設定中に反映される。また、ＷＭＣ７０４は、ウィジェット状態への変更をＷＭＳ３００のデジタルロッカー３０４に記憶し、状態の変更に基づくコンテンツ配信にとって必要な変更と、ウィジェット状態への変更に照らして任意の他の必要なネットワーク機能とに影響を及ぼす目的で、サービングネットワークにその変更について通知するように動作可能なウィジェット状態変更通知生成器７９４を含むことができる。
【０１６３】
図３０を参照すると、一態様では、ワイヤレスデバイスのランタイムメモリを管理するようにワイヤレスデバイス上で動作可能な方法６１０は、６１２においてワイヤレスデバイス上で実行可能な１つまたは複数のウィジェットとのユーザの対話に関係するウィジェットの使用データを決定することを含む。たとえば、ウィジェットの使用データは、ウィジェットの使用データの中でも、ユーザによる使用時間または使用頻度、ユーザのナビゲーションパターン、またはウィジェットの使用の情報階層深さのうちの少なくとも１つを含むことができる。
【０１６４】
また、本方法は、６１４において、決定されたウィジェット使用データに基づいて１つまたは複数のウィジェット状態を適応的に変更することを含む。たとえば、１つまたは複数のウィジェット状態を適応的に変更することは、ウィジェット状態の中でも、ウィジェットを標準モードから圧縮モードに変更すること、またはウィジェットがウィジェットウォール上に表示されるかどうかを変更することを含むことができる。本方法は、６１６において１つまたは複数のウィジェット状態の変更を記憶することをさらに含む。
【０１６５】
次に図３１を参照すると、一態様では、ウィジェットの使用データに基づくウィジェットの状態の変更を受信し、記録するようにネットワークデバイス上で動作可能な方法６３０は、６３２において、１つまたは複数のモバイルウィジェットの１つまたは複数の状態がウィジェットの使用データに基づいて変更されたことを示す通知を、ワイヤレスデバイスから受信することを含む。たとえば、ウィジェット状態は、ウィジェット状態の中でも、ロード状態、ウィジェットウォール内のロード状態、またはロードの深さを含むことができる。
【０１６６】
本方法は、６３４において状態の変更をネットワークメモリに記憶することをさらに含む。たとえば、記憶することは、ワイヤレスデバイスまたはウィジェットサービスの加入者のうちの少なくとも１つに関連する変更をデジタルロッカーに記憶することを含むことができる。
【０１６７】
次に図３２を参照すると、ワイヤレスデバイスのランタイムメモリを管理するシステム２０２６が示されている。システム２０２６は、たとえば、マルチプレクサ、送信機、モバイルデバイスなどの中に常駐することができる。図示のように、システム２０２６はプロセッサ、ソフトウェア、またはそれらの組合せ（たとえば、ファームウェアなど）によって実装される機能を表すことができる機能ブロックを含む。システム２０２６は、ワイヤレスデバイスのランタイムメモリを管理することを可能にする電気構成要素の論理グルーピング２０２８を含む。論理グルーピング２０２８は、ワイヤレスデバイス上で実行可能な１つまたは複数のウィジェットとのユーザの対話に関係するウィジェット使用データを決定するための手段２０３０を含むことができる。その上、論理グルーピング２０２８は、決定されたウィジェット使用データに基づいて１つまたは複数のウィジェット状態を適応的に変更するための手段２０３２を含むことができる。さらに、論理グルーピング２０２８は、１つまたは複数のウィジェット状態の変更を記憶するための手段２０３４を含むことができる。さらに、システム２０２６は、電気構成要素２０３０、２０３２、および２０３４に関連する機能を実行するための命令を保持するメモリ２０３６を含むことができる。メモリ２０３６の外部にあるものとして図示されているが、電気構成要素２０３０、２０３２、および２０３４はメモリ２０３６の内部に存在することができることを理解されたい。
【０１６８】
次に図３３を参照すると、ウィジェット使用データに基づくウィジェット状態の変更を受信し、記録するシステム２０３８が示されている。システム２０３８は、たとえば、マルチプレクサ、送信機、モバイルデバイスなどの中に常駐することができる。図示のように、システム２０３８はプロセッサ、ソフトウェア、またはそれらの組合せ（たとえば、ファームウェアなど）によって実装される機能を表すことができる機能ブロックを含む。システム２０３８は、ウィジェット使用データに基づくウィジェット状態の変更を受信し、記録することを可能にする電気構成要素の論理グルーピング２０４０を含む。論理グルーピング２０４０は、１つまたは複数のモバイルウィジェットの１つまたは複数の状態がウィジェット使用データに基づいて変更されたことを示す通知を、ワイヤレスデバイスから受信するための手段２０４２を含むことができる。その上、論理グルーピング２０４０は、状態の変更をネットワークメモリに記憶するための手段２０４４を含むことができる。さらに、システム２０４０は、電気構成要素２０４２および２０４４に関連する機能を実行するための命令を保持するメモリ２０４６を含むことができる。メモリ２０４６の外部にあるものとして示されているが、電気構成要素２０４２および２０４４はメモリ２０４６の内部に存在することができることを理解されたい。  本明細書で開示した実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他のプログラマブル論理デバイス、個別ゲートまたはトランジスタロジック、個別ハードウェア構成要素、あるいは本明細書で説明した機能を実行するように設計されたそれらの任意の組合せを用いて実装または実行できる。汎用プロセッサはマイクロプロセッサとすることができるが、代替として、プロセッサは任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。さらに、少なくとも１つのプロセッサは、上述のステップおよび／またはアクションの１つまたは複数を実行するように動作可能な１つまたは複数のモジュールを備えることができる。
【０１６９】
さらに、本明細書で開示された態様に関して説明した方法またはアルゴリズムのステップおよび／またはアクションは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体中に常駐することができる。例示的な記憶媒体は、プロセッサが記憶媒体から情報を読み取り、記憶媒体に情報を書き込むことができるようにプロセッサに結合される。代替として、記憶媒体はプロセッサに一体化することができる。さらに、いくつかの態様では、プロセッサおよび記憶媒体はＡＳＩＣ中に常駐することができる。さらに、ＡＳＩＣはユーザ端末中に常駐することができる。代替として、プロセッサおよび記憶媒体は、ユーザ端末内に個別構成要素として常駐することもできる。さらに、いくつかの態様では、方法またはアルゴリズムのステップおよび／またはアクションは、コンピュータプログラム製品に組み込むことができる、機械可読媒体および／またはコンピュータ可読媒体上のコードおよび／または命令の１つまたは任意の組合せ、あるいはそのセットとして常駐することができる。
【０１７０】
１つまたは複数の態様では、説明した機能はハードウェア、ソフトウェア、ファームウェア、またはその任意の組合せで実装できる。ソフトウェアで実装する場合、機能は、１つまたは複数の命令またはコードとしてコンピュータ可読媒体上に記憶するか、あるいはコンピュータ可読媒体上で送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または、命令もしくはデータ構造の形態の所望のプログラムコードを運搬または記憶するために使用でき、コンピュータによってアクセスできる任意の他の媒体を備えることができる。また、どんな接続でもコンピュータ可読媒体と呼ばれることがある。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１７１】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。
以下に、本願の出願当初請求項に記載された発明を付記する。
［１］
ワイヤレス通信デバイスにおける動作モードを変更するための方法であって、
モバイルウィジェットクライアントを標準動作モードで活動化することと、
前記ワイヤレス通信デバイス上のメモリ可用度を決定することと、
前記メモリ可用度の前記決定に基づいて前記標準動作モードを非活動化することと、
前記標準動作モードの非活動化に応答して前記モバイルウィジェットクライアントの低メモリ動作モードを活動化することと
を備える方法。
［２］
前記低メモリ動作モードを非活動化することと、メモリ可用度が前記標準動作モードを正当化すると決定されたときに前記標準動作モードを再活動化することとをさらに備える
上記［１］に記載の方法。
［３］
前記低メモリ動作モードを活動化することが、デグレードメディアリソース、またはデグレードコンテンツフィード、またはデグレード圧縮モードビュー、またはデグレード情報階層深さ可用度のうちの少なくとも１つを活動化することをさらに備える、上記［１］に記載の方法。
［４］
前記低メモリ動作モードが、前記ウィジェットの最近のスクリーンショットを備える前記デグレード圧縮モードビューをさらに備える、上記［３］に記載の方法。
［５］
前記モバイルウィジェットクライアントの低メモリモードを活動化することは、前記ワイヤレス通信デバイス上のメモリ可用度が所定のしきい値を満たしたと決定したときに前記低メモリ動作モードをワイヤレスデバイスメモリから取り出すことをさらに備える、上記［１］に記載の方法。
［６］
前記モバイルウィジェットクライアントの低メモリモードを活動化することは、前記ワイヤレス通信デバイス上のメモリ可用度が所定のしきい値を満たしたと決定したときに前記低メモリ動作モードをサービングネットワークからワイヤレスに取り出すことをさらに備える、上記［１］に記載の方法。
［７］
メモリ可用度に基づいてウィジェットの動作モードを変更するように構成された少なくとも１つのプロセッサであって、
モバイルウィジェットクライアントを標準動作モードで活動化するための第１のモジュールと、
前記ワイヤレス通信デバイス上のメモリ可用度を決定するための第２のモジュールと、
前記メモリ可用度の前記決定に基づいて前記標準動作モードを非活動化するための第３のモジュールと、
前記標準動作モードの非活動化に応答して前記モバイルウィジェットクライアントの低メモリ動作モードを活動化するための第４のモジュールと
を備えるプロセッサ。
［８］
モバイルウィジェットクライアントを標準動作モードで活動化することをコンピュータに行わせるための少なくとも１つの命令と、
前記ワイヤレス通信デバイス上のメモリ可用度を決定することを前記コンピュータに行わせるための少なくとも１つの命令と、
前記メモリ可用度の前記決定に基づいて前記標準動作モードを非活動化することを前記コンピュータに行わせるための少なくとも１つの命令と、
前記標準動作モードの非活動化に応答して前記モバイルウィジェットクライアントの低メモリ動作モードを活動化することを前記コンピュータに行わせるための少なくとも１つの命令と
を備えるコンピュータ可読媒体を備えるコンピュータプログラム製品。
［９］
モバイルウィジェットクライアントを標準動作モードで活動化するための手段と、
前記ワイヤレス通信デバイス上のメモリ可用度を決定するための手段と、
前記メモリ可用度の前記決定に基づいて前記標準動作モードを非活動化するための手段と、
前記標準動作モードの非活動化に応答して前記モバイルウィジェットクライアントの低メモリ動作モードを活動化するための手段と
を備える装置。
［１０］
メモリ可用度に基づいてウィジェットの動作モードを変更するための装置であって、
プロセッサと、
前記プロセッサと通信しているメモリと、
前記プロセッサと通信しており、前記装置上のメモリの可用度を決定するように動作可能なメモリ状態モニタと、
前記メモリに記憶され、前記プロセッサによって実行可能であり、標準動作モードと低メモリ動作モードとを含む、少なくとも１つのモバイルウィジェットクライアントと、
前記メモリに記憶され、前記プロセッサによって実行可能であり、前記メモリ状態モニタによって行われた決定に基づいて前記標準動作モードと前記低メモリモードとの間で前記ウィジェット動作モードを変更するように動作可能なウィジェットモードチェンジャとを備える装置。
［１１］
前記低メモリ動作モードが、デグレードメディアリソース、またはデグレードコンテンツフィード、またはデグレード圧縮モードビュー、またはデグレード情報階層深さ可用度のうちの少なくとも１つを備える、上記［１０］に記載の装置。
［１２］
前記メモリに記憶され、前記プロセッサによって実行可能であり、前記モバイルウィジェットクライアントが動作モードを変更したことを示す通知を生成するように動作可能なウィジェットモード変更通知生成器と、前記プロセッサと通信しており、前記通知をサービングネットワークに通信するように動作可能な通信モジュールとをさらに備える、上記［１０］に記載の装置。
［１３］
動作モード変更に基づいてウィジェットへのコンテンツフィードを変更するための方法であって、
ワイヤレスデバイス上で実行される１つまたは複数のウィジェットが前記デバイス上のメモリ可用度に基づいて動作モードを変更していることを示す通知を、前記デバイスから受信することと、
動作モードの前記変更の指示をネットワークメモリに記憶することと、
前記通知に基づいて、前記１つまたは複数のウィジェットに与えられるコンテンツフィードを変更することと
を備える方法。
［１４］
前記通知を受信することは、前記デバイス上で実行される１つまたは複数のウィジェットが、前記デバイス上の低メモリ可用度に基づいて、標準動作モードから低メモリモードに変更しているという指示を受信することをさらに備える、上記［１３］に記載の方法。
［１５］
前記コンテンツフィードを変更することが、標準コンテンツフィードから簡略コンテンツフィードに変更することをさらに備え、前記簡略コンテンツフィードが、前記標準コンテンツフィード中に含まれる１つまたは複数の所定のリソースを含まない、上記［１４］に記載の方法。
［１６］
前記通知を受信することは、前記デバイス上で実行される１つまたは複数のウィジェットが、前記デバイス上の十分なメモリ可用度に基づいて、低メモリ動作モードから標準メモリモードに変更しているという指示を受信することをさらに備える、上記［１３］に記載の方法。
［１７］
前記コンテンツフィードを変更することが、簡略コンテンツフィードから標準コンテンツフィードに変更することをさらに備え、前記簡略コンテンツフィードが、前記標準コンテンツフィード中に含まれる１つまたは複数の所定のリソースを含まない、上記［１６］に記載の方法。
［１８］
前記変更の指示をネットワークメモリに記憶することが、前記ワイヤレスデバイスまたはウィジェットサービスの加入者のうちの少なくとも１つに関連するデジタルロッカーに記憶することをさらに備える、上記［１３］に記載の方法。
［１９］
低メモリベース動作モード変更の通知に基づいてモバイルウィジェットへのコンテンツフィードを変更するように構成された少なくとも１つのプロセッサであって、
ワイヤレスデバイス上で実行される１つまたは複数のウィジェットが前記デバイス上のメモリ可用度に基づいて動作モードを変更していることを示す通知を、前記デバイスから受信するための第１のモジュールと、
動作モードの前記変更の指示をネットワークメモリに記憶するための第２のモジュールと、
前記通知に基づいて、前記１つまたは複数のウィジェットに与えられるコンテンツフィードを変更するための第３のモジュールと
を備えるプロセッサ。
［２０］
ワイヤレスデバイス上で実行される１つまたは複数のウィジェットが前記デバイス上のメモリ可用度に基づいて動作モードを変更していることを示す通知を、前記デバイスから受信することをコンピュータに行わせるための少なくとも１つの命令と、
動作モードの前記変更の指示をネットワークメモリに記憶することを前記コンピュータに行わせるための少なくとも１つの命令と、
前記メモリ可用度の前記決定に基づいて前記標準動作モードを非活動化することを前記コンピュータに行わせるための少なくとも１つの命令と、
前記通知に基づいて、前記１つまたは複数のウィジェットに与えられるコンテンツフィードを変更することを前記コンピュータに行わせるための少なくとも１つの命令と
を備えるコンピュータ可読媒体を備えるコンピュータプログラム製品。
［２１］
ワイヤレスデバイス上で実行される１つまたは複数のウィジェットが前記デバイス上のメモリ可用度に基づいて動作モードを変更していることを示す通知を、前記デバイスから受信するための手段と、
動作モードの前記変更の指示を記憶するための手段と、
前記通知に基づいて、前記１つまたは複数のウィジェットに与えられるコンテンツフィードを変更するための手段と
を備える装置。
［２２］
メモリ可用度に基づくウィジェットの動作モード変更に基づいてウィジェットへのコンテンツフィードを変更するためのネットワーク装置であって、
プロセッサと、
前記プロセッサと通信しているメモリと、
前記メモリに記憶され、前記プロセッサによって実行可能であり、ワイヤレスデバイス上で実行される１つまたは複数のウィジェットが前記デバイス上のメモリ可用度に基づいて動作モードを変更していることを示す通知を、前記デバイスから受信するように動作可能であり、前記通知に基づいて前記１つまたは複数のウィジェットに与えられるコンテンツフィードを変更するようにさらに動作可能な、ウィジェット管理モジュールと、
前記動作モード変更の指示を記憶するように動作可能な、前記メモリ中のデータ記憶とを備えるネットワーク装置。
［２３］
前記ウィジェット管理モジュールは、前記デバイス上で実行される１つまたは複数のウィジェットが、前記デバイス上の低メモリ可用度に基づいて、標準動作モードから低メモリモードに変更していることを示す前記通知を受信するようにさらに動作可能である、上記［２２］に記載のネットワーク装置。
［２４］
前記ウィジェット管理モジュールが、前記コンテンツフィードを、標準コンテンツフィードから、前記標準コンテンツフィード中に含まれる１つまたは複数の所定のリソースを含まない簡略フィードに変更するようにさらに動作可能である、上記［２３］に記載のネットワーク装置。
［２５］
前記通知は、前記デバイス上で実行される１つまたは複数のウィジェットが、前記デバイス上の十分なメモリ可用度に基づいて、低メモリ動作モードから標準メモリモードに変更していることを示す、上記［２２］に記載のネットワーク装置。
［２６］
前記ウィジェット管理モジュールが、前記コンテンツフィードを簡略コンテンツフィードから標準コンテンツフィードに変更するように動作可能であり、前記簡略コンテンツフィードが、前記標準コンテンツフィード中に含まれる１つまたは複数の所定のリソースを含まない、上記［２５］に記載のネットワーク装置。
［２７］
前記データ記憶が、前記ウィジェット動作モード変更の指示を記憶するように動作可能なデジタルロッカーをさらに備え、前記デジタルロッカーが前記ワイヤレスデバイスまたはウィジェットサービスの加入者のうちの少なくとも１つに関連する、上記［２２］に記載のネットワーク装置。
［２８］
ワイヤレスデバイスのランタイムメモリを管理するための方法であって、
前記ワイヤレスデバイス上で実行可能な１つまたは複数のウィジェットとのユーザ対話に関係するウィジェット使用データを決定することと、
前記決定されたウィジェット使用データに基づいて１つまたは複数のウィジェット状態を適応的に変更することと、
前記１つまたは複数のウィジェット状態の前記変更を記憶することと
を備える方法。
［２９］
ウィジェット使用データを決定することが、１つまたは複数のウィジェットについて使用時間または使用頻度のうちの少なくとも１つを決定することをさらに備える、上記［２８］に記載の方法。
［３０］
１つまたは複数のウィジェット状態を適応的に変更することが、前記使用時間の決定または前記使用頻度の決定のうちの少なくとも１つに基づいて、所定の時間期間の間、１つまたは複数のウィジェットをロード状態または非ロード状態のうちの１つに変更することをさらに備える、上記［２９］に記載の方法。
［３１］
ウィジェット使用データを決定することが、使用のウィジェットウォールナビゲーションパターンを決定することをさらに備える、上記［２８］に記載の方法。
［３２］
１つまたは複数のウィジェット状態を適応的に変更することが、前記決定された使用のウィジェットウォールナビゲーションパターンに基づいて、ウィジェットウォール内の１つまたは複数のウィジェットをロード状態または非ロード状態のうちの１つに変更することをさらに備える、上記［３１］に記載の方法。
［３３］
ウィジェット使用データを決定することが、１つまたは複数のウィジェットについて情報階層深さ使用を決定することをさらに備える、上記［２８］に記載の方法。
［３４］
１つまたは複数のウィジェット状態を適応的に変更することが、前記情報階層深さ使用データに基づいて、ロードされる深さの量をロード状態または非ロード状態のいずれかに変更することをさらに備える、上記［３３］に記載の方法。
［３５］
ワイヤレスデバイスのランタイムメモリを管理するように構成された少なくとも１つのプロセッサであって、
前記ワイヤレスデバイス上で実行可能な１つまたは複数のウィジェットとのユーザ対話に関係するウィジェット使用データを決定するための第１のモジュールと、
前記決定されたウィジェット使用データに基づいて１つまたは複数のウィジェット状態を適応的に変更するための第２のモジュールと、
前記１つまたは複数のウィジェット状態の前記変更を記憶するための第３のモジュールと
を備えるプロセッサ。
［３６］
ワイヤレスデバイス上で実行可能な１つまたは複数のウィジェットとのユーザ対話に関係するウィジェット使用データを決定することをコンピュータに行わせるための少なくとも１つの命令と、
前記決定されたウィジェット使用データに基づいて１つまたは複数のウィジェット状態を適応的に変更するための少なくとも１つの命令と、
前記１つまたは複数のウィジェット状態の前記変更を記憶することを前記コンピュータに行わせるための少なくとも１つの命令と
を備えるコンピュータ可読媒体を備えるコンピュータプログラム製品。
［３７］
ワイヤレスデバイス上で実行可能な１つまたは複数のウィジェットとのユーザ対話に関係するウィジェット使用データを決定するための手段と、
前記決定されたウィジェット使用データに基づいて１つまたは複数のウィジェット状態を適応的に変更するための手段と、
前記１つまたは複数のウィジェット状態の前記変更を記憶するための手段と
を備える装置。
［３８］
ワイヤレスデバイスのランタイムメモリを管理するための装置であって、
プロセッサと、
前記プロセッサと通信しているメモリと、
前記メモリに記憶され、前記プロセッサによって実行可能な少なくとも１つのモバイルウィジェットクライアントと、
前記メモリに記憶され、前記プロセッサによって実行可能であり、前記ウィジェットクライアントの１つまたは複数とのユーザの対話に関係する使用データを収集するように動作可能なウィジェット使用データレポータと、
前記メモリに記憶され、前記プロセッサによって実行可能であり、前記決定されたウィジェット使用データに基づいて１つまたは複数のウィジェット状態を適応的に変更するように動作可能なウィジェットアダプタ論理と、
前記１つまたは複数のウィジェット状態の前記変更を記憶するように動作可能な、前記メモリ中のウィジェット構成設定データベースと
を備える装置。
［３９］
ウィジェット使用データに基づいてウィジェット状態の変更を受信し、記録するための方法であって、
１つまたは複数のモバイルウィジェットの１つまたは複数の状態がウィジェット使用データに基づいて変更されたことを示す通知を、ワイヤレスデバイスから受信することと、
前記状態の変更をネットワークメモリに記憶することと
を備える方法。
［４０］
前記通知を受信することが、ウィジェットロード状態、またはウィジェットウォール内のウィジェットロード状態、またはウィジェットのロードの深さの状態のうちの少なくとも１つを含む１つまたは複数の状態へのまたはその状態からの変更の指示を受信することをさらに備える、上記［３９］に記載の方法。
［４１］
前記状態の変更を前記ネットワークメモリに記憶することが、前記ワイヤレスデバイスまたはウィジェットサービスの加入者のうちの少なくとも１つに関連するデジタルロッカーに記憶することをさらに備える、上記［３９］に記載の方法。
［４２］
低メモリベース動作モード変更の通知に基づいてモバイルウィジェットへのコンテンツフィードを変更するように構成された少なくとも１つのプロセッサであって、
１つまたは複数のモバイルウィジェットの１つまたは複数の状態がウィジェット使用データに基づいて変更されたことを示す通知を、ワイヤレスデバイスから受信するための第１のモジュールと、
前記状態の変更をネットワークメモリに記憶するための第２のモジュールと
を備えるプロセッサ。
［４３］
１つまたは複数のモバイルウィジェットの１つまたは複数の状態がウィジェット使用データに基づいて変更されたことを示す通知を、ワイヤレスデバイスから受信することをコンピュータに行わせるための少なくとも１つの命令と、
前記状態の変更をネットワークメモリに記憶することを前記コンピュータに行わせるための少なくとも１つの命令と
を備えるコンピュータ可読媒体を備えるコンピュータプログラム製品。
［４４］
１つまたは複数のモバイルウィジェットの１つまたは複数の状態がウィジェット使用データに基づいて変更されたことを示す通知を、ワイヤレスデバイスから受信するための手段と、
前記状態の変更を記憶するための手段と
を備える装置。
［４５］
ウィジェット使用データに基づいてウィジェット状態の変更を受信し、記録するためのネットワーク装置であって、
プロセッサと、
前記プロセッサと通信しているメモリと、
前記メモリに記憶され、前記プロセッサによって実行可能であり、１つまたは複数のモバイルウィジェットの１つまたは複数の状態がウィジェット使用データに基づいて変更されたことを示す通知を、ワイヤレスデバイスから受信するように動作可能なウィジェット管理モジュールと、
前記状態の変更を記憶するように動作可能な、前記メモリ中のデータ記憶と
を備えるネットワーク装置。
［４６］
前記状態が、ウィジェットロード状態、またはウィジェットウォール内のウィジェットロード状態、またはウィジェットのロードの深さの状態のうちの少なくとも１つを含む、上記［４５］に記載のネットワーク装置。
［４７］
前記データ記憶が、前記ワイヤレスデバイスまたはウィジェットサービスの加入者のうちの少なくとも１つに関連するデジタルロッカーをさらに備える、上記［４５］に記載のネットワーク装置。
【図１】
0005851967.tif 000002
【図２】
0005851967.tif 000003
【図３】
0005851967.tif 000004
【図４】
0005851967.tif 000005
【図５】
0005851967.tif 000006
【図６】
0005851967.tif 000007
【図７】
0005851967.tif 000008
【図８】
0005851967.tif 000009
【図９】
0005851967.tif 000010
【図１０】
0005851967.tif 000011
【図１１】
0005851967.tif 000012
【図１２】
0005851967.tif 000013
【図１３】
0005851967.tif 000014
【図１４】
0005851967.tif 000015
【図１５】
0005851967.tif 000016
【図１６】
0005851967.tif 000017
【図１７】
0005851967.tif 000018
【図１８】
0005851967.tif 000019
【図１９】
0005851967.tif 000020
【図２０】
0005851967.tif 000021
【図２１】
0005851967.tif 000022
【図２２】
0005851967.tif 000023
【図２３】
0005851967.tif 000024
【図２４】
0005851967.tif 000025
【図２５】
0005851967.tif 000026
【図２６】
0005851967.tif 000027
【図２７】
0005851967.tif 000028
【図２８】
0005851967.tif 000029
【図２９】
0005851967.tif 000030
【図３０】
0005851967.tif 000031
【図３１】
0005851967.tif 000032
【図３２】
0005851967.tif 000033
【図３３】
0005851967.tif 000034